(57)【要約】  占有容積を減少させることができる遮蔽装置および冷蔵庫を提供する。本発明の遮蔽装置７０は、冷蔵庫１０の内部で冷気が送風される風路を適宜塞ぐ装置である。具体的には、遮蔽装置７０は、送風モータで回転する送風機４７を半径方向外側から囲む複数の回動遮蔽壁７１と、回動遮蔽壁７１の開閉動作を駆動する遮蔽壁駆動機構６０と、を具備する。更に、遮蔽装置７０では、遮蔽装置７０を冷気が送風される経路に配設し、遮蔽壁駆動機構６０を風路と区画された領域に配設している。
2019244709.tif 000002
【特許請求の範囲】
【請求項１】
冷蔵庫の内部で冷気が送風される風路を塞ぐ遮蔽装置であって、
送風機を半径方向外側から囲む回動遮蔽壁と、
前記回動遮蔽壁を駆動する遮蔽壁駆動機構と、を有し、
前記回動遮蔽壁は、前記風路内に配設され、
前記遮蔽壁駆動機構は、前記風路外の領域に配設されることを特徴とする遮蔽装置。
【請求項２】
前記遮蔽壁駆動機構は、
移動軸スライド溝が形成される円盤状の回転プレートと、
前記移動軸スライド溝に係合する移動軸が形成され、前記回動遮蔽壁に回転可能に連結されたカムと、
前記回転プレートを回転させる駆動モータと、を有し、
前記カムは前記移動軸が前記移動軸スライド溝をスライドすることにより前記回動遮蔽壁を開閉動作させることを特徴とする請求項１に記載の遮蔽装置。
【請求項３】
一つの前記移動軸スライド溝に、複数の前記カムの前記移動軸が係合することを特徴とする請求項２に記載の遮蔽装置。
【請求項４】
冷蔵庫の内部で冷気が送風される風路を塞ぐ遮蔽装置であって、
送風機を半径方向外側から囲むように並設され、回動することで前記風路を開閉する複数の回動遮蔽壁と、
前記回動遮蔽壁を駆動する遮蔽壁駆動機構と、を具備し、
前記遮蔽壁駆動機構は、駆動源と、前記駆動源の動力を前記回動遮蔽壁に伝達する動力伝達機構と、を有することを特徴とする遮蔽装置。
【請求項５】
冷蔵庫の内部で冷気が送風される風路を塞ぐ遮蔽装置であって、
送風機を半径方向外側から囲む複数の回動遮蔽壁と、
前記回動遮蔽壁を駆動する遮蔽壁駆動機構と、を具備し、
前記遮蔽壁駆動機構は、複数設けられることを特徴とする遮蔽装置。
【請求項６】
貯蔵室に前記風路を経由して供給される空気を冷却する冷凍サイクルの冷却器と、
前記冷却器が配設されて前記貯蔵室につながる送風口が形成される冷却室と、
前記送風口から供給される前記空気を前記貯蔵室に向けて送風する前記送風機と、
前記風路を少なくとも部分的に塞ぐ、請求項１から請求項５の何れかに記載された前記遮蔽装置と、を具備することを特徴とする冷蔵庫。
【発明の詳細な説明】
【技術分野】
【０００１】
本発明は、遮蔽装置およびそれを備えた冷蔵庫に関し、特に、冷却室から貯蔵室につながる風路を適宜塞ぐ遮蔽装置およびそれを備えた冷蔵庫に関する。
【背景技術】
【０００２】
従来から、特許文献１に記載されたような、一つの冷却器で複数の貯蔵室を適宜冷却する冷蔵庫が知られている。【０００３】
図５１に、この文献に記載された冷蔵庫１１００を模式的に示す。この図に示す冷蔵庫１１００には、上方から、冷蔵室１１０１、冷凍室１１０２および野菜室１１０３が形成されている。冷凍室１１０２の奥側には、冷却器１１０８が収納される冷却室１１０４が形成されており、冷却室１１０４と冷凍室１１０２とを区画する区画壁１１０５には、冷気を各貯蔵室に供給するための開口部１１０６が形成されている。また、この開口部１１０６には、冷気を送風する送風ファン１１０７が配設されており、この送風ファン１１０７を覆う送風機カバー１１１０が冷凍室１１０２側に配置されている。冷蔵室１１０１に供給される冷気が流通する風路１１０９の途中には、ダンパ１１１４が配設されている。【０００４】
図５２を参照して、上記した送風機カバー１１１０を詳述する。送風機カバー１１１０は、略四角形形状を呈する凹部１１１１が形成されており、凹部１１１１の上部を部分的に切り欠いて開口部１１１３が形成されている。ここで、送風機カバー１１１０が、上記した送風ファン１１０７を覆う状況では、送風機カバー１１１０の開口部１１１３は、冷蔵庫本体側の風路１１０９と連通している。【０００５】
上記した構成の冷蔵庫１１００は次のように動作する。先ず、冷蔵室１１０１および冷凍室１１０２の両方を冷却する場合は、送風機カバー１１１０を送風ファン１１０７から離間させ、ダンパ１１１４を開き、この状態で送風ファン１１０７を回転させる。そうすると、冷却室１１０４の内部で冷却器１１０８により冷却された冷気の一部は、送風ファン１１０７の送風力で、冷凍室１１０２に送風される。また、この冷気の他の一部は、風路１１０９、ダンパ１１１４および風路１１０９を経由して、冷蔵室１１０１に送風される。これより、冷凍室１１０２と冷蔵室１１０１の両方が冷却される。【０００６】
一方、冷蔵室１１０１のみを冷却する際には、送風ファン１１０７を送風機カバー１１１０で覆い、ダンパ１１１４を開き、この状態にて冷却器１１０８で冷却された冷気を送風ファン１１０７で送風する。送風機カバー１１１０を閉鎖状態にすると、送風機カバー１１１０の上部に形成された開口部１１１３が、風路１１０９と連通するようになる。よって、送風ファン１１０７で送風された冷気は、上記した開口部１１１３、ダンパ１１１４、風路１１０９を経由して、冷蔵室１１０１に供給される。【０００７】
上記のように、開口部１１１３が形成された送風機カバー１１１０を用いることで、一つの冷却器１１０８で、複数の貯蔵室を適宜冷却することが可能となった。
【先行技術文献】
【特許文献】
【０００８】
【特許文献１】特開２０１３−２６６４号公報
【発明の概要】
【発明が解決しようとする課題】
【０００９】
しかしながら、上記した構成の送風機カバー１１１０は、後方に移動することで冷却室１１０４の開口部１１０６を塞ぎ、前方に移動することで冷却室１１０４の開口部１１０６を解放する。また、送風機カバー１１１０を前後方向に移動させるための駆動機構が必要になる。この駆動機構に冷気が吹き付けられると、駆動機構が凍結し、送風機カバー１１１０を開閉移動させることができなくなる恐れがある。【００１０】
更に、送風機カバー１１１０は、開閉動作を前後方向に沿って行うための空間を必要とする。よって、冷蔵庫１１００の内部に於いて、送風機カバー１１１０が開閉動作を行うために大きな空間が必要とされる。この結果、送風機カバー１１１０の前方に形成される冷凍室１１０２の庫内容積が圧迫されてしまい、冷凍室１１０２に収納することができる被貯蔵物の量が制限されてしまう課題があった。更には、モータで送風機カバー１１１０を前後方向に移動させる際に駆動音が発生し、この駆動音が大きいと使用者にとって不快である恐れがあった。【００１１】
本発明は、上記の事情に鑑みてなされたものであり、その目的とするところは、駆動機構が凍結することなく、庫内容積を圧迫せず、駆動音が小さい遮蔽装置およびそれを備えた冷蔵庫を提供することにある。
【課題を解決するための手段】
【００１２】
本発明の遮蔽装置は、冷蔵庫の内部で冷気が送風される風路を塞ぐ遮蔽装置であって、送風機を半径方向外側から囲む回動遮蔽壁と、前記回動遮蔽壁を駆動する遮蔽壁駆動機構と、を有し、前記遮蔽壁駆動機構は、前記風路外の領域に配設されることを特徴とする。【００１３】
また、本発明の遮蔽装置では、前記遮蔽壁駆動機構は、移動軸スライド溝が形成される円盤状の回転プレートと、前記移動軸スライド溝に係合する移動軸が形成され、前記回動遮蔽壁に回転可能に連結されたカムと、前記回転プレートを回転させる駆動モータと、を有し、前記カムは前記移動軸が前記移動軸スライド溝をスライドすることにより前記回動遮蔽壁を開閉動作させることを特徴とする。【００１４】
また、本発明の遮蔽装置では、一つの前記移動軸スライド溝に、複数の前記カムの前記移動軸が係合することを特徴とする。【００１５】
また、本発明は、冷蔵庫の内部で冷気が送風される風路を塞ぐ遮蔽装置であって、送風機を半径方向外側から囲むように並設され、回動することで前記風路を開閉する複数の回動遮蔽壁と、前記回動遮蔽壁を駆動する遮蔽壁駆動機構と、を具備し、前記遮蔽壁駆動機構は、駆動源と、前記駆動源の動力を前記回動遮蔽壁に伝達する動力伝達機構と、を有することを特徴とする。【００１６】
また、本発明は、冷蔵庫の内部で冷気が送風される風路を塞ぐ遮蔽装置であって、送風機を半径方向外側から囲む複数の回動遮蔽壁と、前記回動遮蔽壁を駆動する遮蔽壁駆動機構と、を具備し、前記遮蔽壁駆動機構は、複数設けられることを特徴とする。【００１７】
また、本発明の冷蔵庫は、貯蔵室に前記風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する前記送風機と、前記風路を少なくとも部分的に塞ぐ前記遮蔽装置と、を具備することを特徴とする。
【発明の効果】
【００１８】
本発明によれば遮蔽装置は、回動遮蔽壁を駆動する遮蔽壁駆動機構が、冷気が送風される風路外に配設されるので、遮蔽壁駆動機構が凍結することを防止することができる。【００１９】
また、本発明の遮蔽装置では、前記遮蔽壁駆動機構は、移動軸スライド溝が形成される円盤状の回転プレートと、前記移動軸スライド溝に係合する移動軸が形成され、前記回動遮蔽壁に回転可能に連結されたカムと、前記回転プレートを回転させる駆動モータと、を有し、前記カムは前記移動軸が前記移動軸スライド溝をスライドすることにより前記回動遮蔽壁を開閉動作させることを特徴とする。これによって、遮蔽装置は、回転プレートの回転動作で容易に回動遮蔽壁の開閉動作を駆動することができるので、遮蔽装置を構成する部材が前後方向に移動する従来の遮蔽装置と比較して、遮蔽装置が占有する容積を小さくすることができ、庫内容積を圧迫することがない。また本発明の遮蔽装置は、カムの移動軸が移動軸スライド溝をスライドすることにより回動遮蔽壁を開閉動作させるので、駆動音の発生を大きく低減することができる。【００２０】
また、本発明の遮蔽装置では、一つの前記移動軸スライド溝に、複数の前記カムの前記移動軸が係合することを特徴とする。これにより、本発明の遮蔽装置によれば、回転プレートの回転でスライドするカムにより回動遮蔽壁が開閉するので、遮蔽装置が薄型となり、貯蔵室の庫内容積を大きく確保することができる。また、一つのスライド溝に、複数のカムの移動軸が係合することで、スライド溝の蛇行形状を滑らかにすることができる。よって、スライド溝と移動軸との摺動動作および回動遮蔽壁の回動動作をスムーズに行うことができる。更に、スライド溝の数を少なくでき、遮蔽装置の構成を簡略化できる。【００２１】
また、本発明は、冷蔵庫の内部で冷気が送風される風路を塞ぐ遮蔽装置であって、送風機を半径方向外側から囲むように並設され、回動することで前記風路を開閉する複数の回動遮蔽壁と、前記回動遮蔽壁を駆動する遮蔽壁駆動機構と、を具備し、前記遮蔽壁駆動機構は、駆動源と、前記駆動源の動力を前記回動遮蔽壁に伝達する動力伝達機構と、を有することを特徴とする。これにより、本発明の遮蔽装置によれば、送風機を周囲から囲む回動遮蔽壁により風路を開閉することで、遮蔽装置全体の厚み方向に於ける寸法を小さくでき、装置全体の小型化を実現できる。また、駆動源から動力伝達機構を用いて回動遮蔽壁に動力を伝達することで、回動遮蔽壁の開閉動作を良好に行うことができる。【００２２】
また、本発明は、冷蔵庫の内部で冷気が送風される風路を塞ぐ遮蔽装置であって、送風機を半径方向外側から囲む複数の回動遮蔽壁と、前記回動遮蔽壁を駆動する遮蔽壁駆動機構と、を具備し、前記遮蔽壁駆動機構は、複数設けられることを特徴とする。これにより、本発明の遮蔽装置によれば、複数の遮蔽壁駆動機構を有することで、回動遮蔽壁を個別に動作させることができ、回動遮蔽壁全体としての開閉動作の自由度を向上することができる。【００２３】
また、本発明の冷蔵庫は、貯蔵室に前記風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する前記送風機と、前記風路を少なくとも部分的に塞ぐ前記遮蔽装置と、を具備することを特徴とする。これによって、遮蔽装置が占有する庫内容積を低減することができるので、各貯蔵室の有効容積を大きく確保することができる。また、遮蔽装置の風路抵抗が小さいので、少ないエネルギで大きな送風量を得ることができ、貯蔵室を効果的に冷却することができる。
【図面の簡単な説明】
【００２４】
【図１】本発明の第１実施形態に係る冷蔵庫の外観を示す正面図である。
【図２】本発明の第１実施形態に係る冷蔵庫の内部構成を示す側方断面図である。
【図３】本発明の第１実施形態に係る冷蔵庫の冷却室付近の構造を示す拡大された側方断面図である。
【図４】本発明の第１実施形態に係る冷蔵庫で採用される遮蔽装置が組み付けられた状態を示す図であり、（Ａ）は斜視図であり、（Ｂ）は切断面線Ａ−Ａから見た断面図であり、（Ｃ）は風路構成を後方から見て示す図である。
【図５】本発明の第１実施形態に係る遮蔽装置を示す図であり、（Ａ）は分解斜視図であり、（Ｂ）は遮蔽壁駆動機構を示す分解断面図である。
【図６】本発明の第１実施形態に係る遮蔽装置を示す図であり、（Ａ）は遮蔽装置を部分的に示す分解斜視図であり、（Ｂ）はカムを示す斜視図である。
【図７】本発明の第１実施形態に係る遮蔽装置を示す図であり、（Ａ）は遮蔽装置の回動遮蔽壁を前方から見て示す図であり、（Ｂ）は回転プレートの構成を後方から見て示す図である。
【図８】本発明の第１実施形態に係る遮蔽装置の全閉状態を示す図であり、（Ａ）は遮蔽装置を後方から見て示す図であり、（Ｂ）は図８（Ａ）の切断面線Ｂ−Ｂから見た遮蔽装置の断面図であり、（Ｃ）は回転プレートを後方から見て示す図であり、（Ｄ）は図８（Ｂ）の部分拡大断面図である。
【図９】本発明の第１実施形態に係る遮蔽装置の全開状態を示す図であり、（Ａ）は遮蔽装置を後方から見て示す図であり、（Ｂ）は図９（Ａ）の切断面線Ｃ−Ｃから見た遮蔽装置の断面図であり、（Ｃ）は回転プレートを後方から見て示す図であり、（Ｄ）は図９（Ｂ）の部分拡大断面図である。
【図１０】本発明の第１実施形態に係る遮蔽装置において、下段冷凍室のみに冷気を供給する状態を後方から見て示す図であり、（Ａ）は遮蔽装置を示す図であり、（Ｂ）は回転プレートを示す図である。
【図１１】本発明の第１実施形態に係る遮蔽装置において、下段冷凍室のみに冷気を供給する際の風路の状況を後方から見て示す図である。
【図１２】本発明の第１実施形態に係る遮蔽装置において、冷凍室のみに冷気を供給する状態を後方から見て示す図であり、（Ａ）は遮蔽装置を示す図であり、（Ｂ）は回転プレートを示す図である。
【図１３】本発明の第１実施形態に係る遮蔽装置において、冷凍室のみに冷気を供給する際の風路の状態を後方から見て示す図である。
【図１４】本発明の第１実施形態に係る遮蔽装置において、上段冷凍室のみに冷気を供給する状態を後方から見て示す図であり、（Ａ）は遮蔽装置を示す図であり、（Ｂ）は回転プレートを示す図である。
【図１５】本発明の第１実施形態に係る遮蔽装置において、上段冷凍室のみに冷気を供給する際の風路の状態を後方から見て示す図である。
【図１６】本発明の第１実施形態に係る遮蔽装置において、冷気を供給しない状態を後方から見て示す図であり、（Ａ）は遮蔽装置を示す図であり、（Ｂ）は回転プレートを示す図である。
【図１７】本発明の第１実施形態に係る遮蔽装置において、冷気を供給しない際の風路の状態を後方から見て示す図である。
【図１８】本発明の第１実施形態に係る遮蔽装置において、冷蔵室のみに冷気を供給する状態を後方から見て示す図であり、（Ａ）は遮蔽装置を示す図であり、（Ｂ）は回転プレートを示す図である。
【図１９】本発明の第１実施形態に係る遮蔽装置において、冷蔵室のみに冷気を供給する際の風路の状態を後方から見て示す図である。
【図２０】本発明の第１実施形態に係る遮蔽装置において、上段冷凍室および冷蔵室に冷気を供給する状態を後方から見て示す図であり、（Ａ）は遮蔽装置を示す図であり、（Ｂ）は回転プレートを示す図である。
【図２１】本発明の第１実施形態に係る遮蔽装置において、上段冷凍室および冷蔵室に冷気を供給する際の風路の状態を後方から見て示す図である。
【図２２】本発明の第１実施形態に係る遮蔽装置において、冷凍室全体および冷蔵室に冷気を供給する状態を後方から見て示す図であり、（Ａ）は遮蔽装置を示す図であり、（Ｂ）は回転プレートを示す図である。
【図２３】本発明の第１実施形態に係る遮蔽装置において、冷凍室全体および冷蔵室に冷気を供給する際の風路の状態を後方から見て示す図である。
【図２４】本発明の第２実施形態に係る遮蔽装置を示す図であり、（Ａ）は斜視図であり、（Ｂ）は分解斜視図である。
【図２５】本発明の第２実施形態に係る遮蔽装置を示す図であり、（Ａ）は遮蔽装置の回動遮蔽壁を後方から見て示す分解図であり、（Ｂ）はギアどうしが歯合する部分を示す図である。
【図２６】本発明の第２実施形態に係る遮蔽装置の全閉状態を示す図であり、（Ａ）は遮蔽装置を後方から見て示す図であり、（Ｂ）は遮蔽装置が組み付けられた前面カバーを示す斜視図である。
【図２７】本発明の第２実施形態に係る遮蔽装置の全開状態を示す図であり、（Ａ）は遮蔽装置を後方から見て示す図であり、（Ｂ）は遮蔽装置が組み付けられた前面カバーを示す斜視図である。
【図２８】本発明の第２実施形態に係る遮蔽装置を示す図であり、（Ａ）は閉状態の遮蔽装置を示す斜視図であり、（Ｂ）は開状態の遮蔽装置を示す斜視図である。
【図２９】本発明の第２実施形態に係る遮蔽装置を示す分解斜視図である。
【図３０】本発明の実施形態に係る遮蔽装置を示す図であり、（Ａ）は遮蔽装置が開状態と成る動作を示す図であり、（Ｂ）は遮蔽装置が閉状態と成る動作を示す図である。
【図３１】本発明の第３実施形態に係る遮蔽装置を示す図であり、（Ａ）は分解斜視図であり、（Ｂ）は分解断面図である。
【図３２】本発明の第３実施形態に係る遮蔽装置を示す図であり、（Ａ）は遮蔽装置を部分的に示す分解斜視図であり、（Ｂ）はカムを示す斜視図である。
【図３３】本発明の第３実施形態に係る遮蔽装置を示す図であり、（Ａ）は遮蔽装置の回動遮蔽壁を後方から見て示す図であり、（Ｂ）は回転プレートの構成を後方から見て示す図である。
【図３４】本発明の第３実施形態に係る遮蔽装置の全閉状態を示す図であり、（Ａ）は遮蔽装置を後方から見て示す図であり、（Ｂ）は（Ａ）の切断面線Ｄ−Ｄから見た遮蔽装置の断面図であり、（Ｃ）は回転プレート等を前方から見て示す図であり、（Ｄ）は（Ｂ）の部分拡大断面図である。
【図３５】本発明の第３実施形態に係る遮蔽装置の全開状態を示す図であり、（Ａ）は遮蔽装置を後方から見て示す図であり、（Ｂ）は（Ａ）の切断面線Ｅ−Ｅから見た遮蔽装置の断面図であり、（Ｃ）は回転プレート等を前方から見て示す図であり、（Ｄ）は（Ｂ）の部分拡大断面図である。
【図３６】本発明の第３実施形態に係る遮蔽装置を示す図であり、（Ａ）は分解斜視図であり、（Ｂ）は遮蔽壁駆動機構を示す拡大断面図である。
【図３７】本発明の第３実施形態に係る遮蔽装置の全閉状態を示す図であり、（Ａ）は遮蔽装置を後方から見て示す図であり、（Ｂ）は（Ａ）の切断面線Ｆ−Ｆから見た遮蔽装置の断面図であり、（Ｃ）は回転プレート等を後方から見て示す図であり、（Ｄ）は（Ｂ）の部分拡大断面図である。
【図３８】本発明の第３実施形態に係る遮蔽装置の全開状態を示す図であり、（Ａ）は遮蔽装置を後方から見て示す図であり、（Ｂ）は（Ａ）の切断面線Ｇ−Ｇから見た遮蔽装置の断面図であり、（Ｃ）は回転プレート等を後方から見て示す図であり、（Ｄ）は（Ｂ）の部分拡大断面図である。
【図３９】本発明の第３実施形態に係る遮蔽装置を示す図である。
【図４０】本発明の第４実施形態に係る遮蔽装置を示す図であり、（Ａ）は分解斜視図であり、（Ｂ）は分解断面図である。
【図４１】本発明の第４実施形態に係る遮蔽装置を示す図であり、（Ａ）は遮蔽装置を部分的に示す分解斜視図であり、（Ｂ）はカムを示す斜視図である。
【図４２】本発明の第４実施形態に係る遮蔽装置を示す図であり、（Ａ）は遮蔽装置の回動遮蔽壁を後方から見て示す図であり、（Ｂ）は回転プレートの構成を後方から見て示す図である。
【図４３】本発明の第４実施形態に係る遮蔽装置の全閉状態を示す図であり、（Ａ）は遮蔽装置を後方から見て示す図であり、（Ｂ）は（Ａ）の切断面線Ｈ−Ｈから見た遮蔽装置の断面図であり、（Ｃ）は回転プレートを後方から見て示す図であり、（Ｄ）は（Ｂ）の部分拡大断面図である。
【図４４】本発明の第４実施形態に係る遮蔽装置の全開状態を示す図であり、（Ａ）は遮蔽装置を後方から見て示す図であり、（Ｂ）は（Ａ）の切断面線Ｉ−Ｉから見た遮蔽装置の断面図であり、（Ｃ）は回転プレートを後方から見て示す図であり、（Ｄ）は（Ｂ）の部分拡大断面図である。
【図４５】本発明の第５実施形態に係る遮蔽装置を示す図であり、（Ａ）は遮蔽装置を示す分解斜視図であり、（Ｂ）はカムを示す斜視図である。
【図４６】本発明の第５実施形態に係る遮蔽装置を示す図であり、（Ａ）は遮蔽装置を部分的に示す分解斜視図であり、（Ｂ）はカムが収納される構成を示す分解斜視図である。
【図４７】本発明の第５実施形態に係る遮蔽装置を示す図であり、（Ａ）は遮蔽装置の回動遮蔽壁を後方から見て示す図であり、（Ｂ）は回転プレートの構成を後方から見て示す図である。
【図４８】本発明の第５実施形態に係る遮蔽装置の全閉状態を示す図であり、（Ａ）は遮蔽装置を後方から見て示す図であり、（Ｂ）は回転プレートを後方から見て示す図であり、（Ｃ）は遮蔽装置の切断斜視図である。
【図４９】本発明の第５実施形態に係る遮蔽装置の全開状態を示す図であり、（Ａ）は遮蔽装置を後方から見て示す図であり、（Ｂ）は回転プレートを後方から見て示す図であり、（Ｃ）は遮蔽装置の切断斜視図である。
【図５０】本発明の第５実施形態に係る遮蔽装置において、第１摺動範囲および第２摺動範囲を後方から見て示す図である。
【図５１】背景技術に係る冷蔵庫を示す拡大断面図である。
【図５２】背景技術に係る冷蔵庫で採用される送風機カバーを示す斜視図である。
【発明を実施するための形態】
【００２５】
［第１実施形態］
以下、本発明の実施形態に係る遮蔽装置７０および冷蔵庫１０を図面に基づき詳細に説明する。以下の説明では、同一の部材には原則的に同一の符号を付し、繰り返しの説明は省略する。更に以下の説明では、上下前後左右の各方向を適宜用いるが、左右とは冷蔵庫１０を後方から見た場合の左右を示している。更に、以下の説明において、回転方向を時計回りおよび反時計回りで表現するが、これらの回転方向は、冷蔵庫１０を背面面視した場合の方向を示している。また、以下の説明では、時計回りを順方向と称し、反時計回りを逆方向と称する場合もある。更にまた、各図面に記載された構成等は相互に組み合わせることができる。
【００２６】
図１は、本形態の冷蔵庫１０の概略構造を示す正面外観図である。図１に示すように、冷蔵庫１０は、本体としての断熱箱体１１を備え、この断熱箱体１１の内部に食品等を貯蔵する貯蔵室を形成している。この貯蔵室としては、最上段が冷蔵室１５、その下段が上段冷凍室１８、更にその下段が下段冷凍室１９、そして最下段が野菜室２０である。尚、上段冷凍室１８および下段冷凍室１９は、何れも冷凍温度域の貯蔵室であり、以下の説明ではこれらを冷凍室１７と総称する場合もある。ここで、上段冷凍室１８は、左右に分割され、一方側が製氷室として用いられても良い。
【００２７】
断熱箱体１１の前面は開口しており、前記各貯蔵室に対応した開口には、各々断熱扉２１等が開閉自在に設けられている。断熱扉２１は、冷蔵室１５の前面を左右方向に分割して塞ぐもので、断熱扉２１の幅方向における外側上下端部が断熱箱体１１に回転自在に取り付けられている。また、断熱扉２３，２４，２５は、各々収納容器と一体的に組み合わされ、冷蔵庫１０の前方に引出自在に、断熱箱体１１に支持されている。具体的には、断熱扉２３は上段冷凍室１８を閉鎖し、断熱扉２４は下段冷凍室１９を閉鎖し、断熱扉２５は野菜室２０を閉鎖する。
【００２８】
図２は、冷蔵庫１０の概略構造を示す側方断面図である。冷蔵庫１０の本体である断熱箱体１１は、前面が開口する鋼板製の外箱１２と、この外箱１２内に間隙を持たせて配設され、前面が開口する合成樹脂製の内箱１３とから構成されている。外箱１２と内箱１３との間隙には、発泡ポリウレタン製の断熱材１４が充填発泡されている。尚、上記した各断熱扉２１等も、断熱箱体１１と同様の断熱構造を採用している。
【００２９】
冷蔵室１５と、その下段に位置する冷凍室１７とは、断熱仕切壁４２によって仕切られている。また、上段冷凍室１８と、その下段に設けられた下段冷凍室１９との間は、冷却された空気である冷気が流通自在に連通している。そして、冷凍室１７と野菜室２０との間は、断熱仕切壁４３によって区分けされている。
【００３０】
冷蔵室１５の背面には、合成樹脂製の仕切体６５で区画され、冷蔵室１５へと冷気を供給する供給風路としての冷蔵室供給風路２９が形成されている。冷蔵室供給風路２９には、冷蔵室１５に冷気を流す吹出口３３が形成されている。
【００３１】
冷凍室１７の奥側には、冷却器４５で冷却された冷気を冷凍室１７へと流す冷凍室供給風路３１が形成されている。冷凍室供給風路３１の更に奥側には、冷却室２６が形成されており、その内部には、庫内を循環する空気を冷却するための蒸発器である冷却器４５が配置されている。冷凍室供給風路３１は、前面カバー６７と仕切体６６とで前後方向から囲まれた空間である。
【００３２】
冷却器４５は、圧縮機４４、図示しない放熱器、図示しない膨張手段であるキャピラリーチューブに冷媒配管を介して接続されており、蒸気圧縮式の冷凍サイクル回路を構成するものである。
【００３３】
図３は、冷蔵庫１０の冷却室２６付近の構造を示す側方断面図である。冷却室２６は、断熱箱体１１の内部で、冷凍室供給風路３１の奥側に設けられている。冷却室２６と冷凍室１７との間は、合成樹脂製の仕切体６６によって仕切られている。
【００３４】
冷却室２６の前方に形成される冷凍室供給風路３１は、冷却室２６とその前方に組み付けられる合成樹脂製の前面カバー６７との間に形成された空間であり、冷却器４５で冷却された冷気を冷凍室１７に流す風路となる。前面カバー６７には、冷凍室１７に冷気を吹き出す開口である吹出口３４が形成されている。
【００３５】
下段冷凍室１９の下部背面には、冷凍室１７から冷却室２６へと空気を戻す戻り口３８が形成されている。そして、冷却室２６の下方には、この戻り口３８につながり、各貯蔵室からの帰還冷気を冷却室２６の内部へと吸入する、戻り口２８が形成されている。戻り口２８には、野菜室２０の戻り口３９（図２参照）および野菜室帰還風路３７を経由して帰還する冷気も流入する。
【００３６】
また、冷却器４５の下方には、冷却器４５に付着した霜を融かして除去する除霜手段として、除霜ヒータ４６が設けられている。除霜ヒータ４６は、電気抵抗加熱式のヒータである。
【００３７】
冷却室２６の上部には、各貯蔵室につながる開口である送風口２７が形成されている。送風口２７は、冷却器４５で冷却された冷気を流す開口であり、冷却室２６と、冷蔵室供給風路２９および冷凍室供給風路３１とを連通させる。送風口２７には、前方から、冷凍室１７等に向けて冷気を送り出す送風機４７が配設されている。また、ダンパの機能は後述する遮蔽装置７０の回動遮蔽壁７１が担っているので、ダンパを省くことが可能である。
【００３８】
冷却室２６の送風口２７の外側には、送風口２７からつながる風路を適宜塞ぐための遮蔽装置７０が設けられている。遮蔽装置７０は、前方から前面カバー６７で覆われている。
【００３９】
図４を参照して、上記した風路を規制する遮蔽装置７０が組み付けられる構成を説明する。図４（Ａ）は遮蔽装置７０が組み付けられた仕切体６６を示す斜視図であり、図４（Ｂ）は図４（Ａ）のＡ−Ａ線に於ける断面図であり、図４（Ｃ）は前面カバー６７を後方から見た場合の風路構成を示す図である。
【００４０】
図４（Ａ）を参照して、仕切体６６には、上方部分において、厚み方向に貫通する円形の送風口２７が形成されており、送風口２７の前方には送風機４７および遮蔽装置７０が配設されている。ここでは、遮蔽装置７０は仕切体６６に隠れている。また、仕切体６６の上端側に形成された開口部位５９は、図３に示した冷蔵室供給風路２９に連通している。
【００４１】
図４（Ｂ）を参照して、上記したように、仕切体６６および前面カバー６７で囲まれる空間として冷凍室供給風路３１が形成されている。後述するように、冷凍室供給風路３１は、複数の風路に区分されている。また、仕切体６６と前面カバー６７との間には、遮蔽装置７０および遮蔽壁駆動機構６０が配設されている。遮蔽装置７０は送風機４７を遮蔽し、遮蔽壁駆動機構６０は遮蔽装置７０を駆動する。遮蔽装置７０および遮蔽壁駆動機構６０の構成は図５等を参照して後述する。
【００４２】
図４（Ｃ）を参照して、前面カバー６７の内部空間を仕切ることで複数の送風路が形成されている。具体的には、前面カバー６７の後側主面から後方に向かって延びるリブ状の風路区画壁５０，５６が形成されている。風路区画壁５０，５６の後端は、図４（Ｂ）に示した仕切体６６に当接している。
【００４３】
ここでは、冷気を送風する送風路は、上方から、冷蔵室供給風路５１、上段冷凍室供給風路５２、下段冷凍室供給風路５３に区画されている。冷蔵室供給風路５１は冷蔵室１５に送風される冷気が流通し、上段冷凍室供給風路５２は上段冷凍室１８に送風される冷気が流通し、下段冷凍室供給風路５３は下段冷凍室１９に送風される冷気が流通する。冷蔵室供給風路５１を流れる冷気は、開口部位５９を経由して、図２に示す冷蔵室１５に送風される。上段冷凍室供給風路５２を流れる冷気は、吹出口３４を介して、図２に示す上段冷凍室１８に送風される。下段冷凍室供給風路５３を流れる冷気は、吹出口３４を介して、図２に示す下段冷凍室１９に送風される。ここで、冷蔵室供給風路５１、上段冷凍室供給風路５２および下段冷凍室供給風路５３は、遮蔽装置７０を中心として周囲に広がるように形成されている。
【００４４】
冷蔵室供給風路５１と上段冷凍室供給風路５２とは、風路区画壁５０で区画されている。更に、上段冷凍室供給風路５２と下段冷凍室供給風路５３とは、風路区画壁５６で区画されている。
【００４５】
図５を参照して、遮蔽装置７０の構成を説明する。図５（Ａ）は遮蔽装置７０の分解斜視図であり、図５（Ｂ）は遮蔽壁駆動機構６０を分解して示す側方断面図である。
【００４６】
図５（Ａ）および図５（Ｂ）を参照して、遮蔽装置７０は、支持基体６３と、回動遮蔽壁７１と、回転プレート７３と、蓋部材５７と、遮蔽壁駆動機構６０と、を具備している。遮蔽装置７０は送風機４７で送風された冷気の風路を遮蔽する装置である。遮蔽装置７０を開状態とすることで冷却室２６と各貯蔵室とをつなぐ風路を連通させ、遮蔽装置７０を閉状態とすることで風路を遮断する。
【００４７】
送風機４７は、ビスなどの締結手段を介して、支持基体６３の前面中心部に配設されている。送風機４７は、ここでは図示しないが、例えば、ターボファンなどの遠心ファンと、この遠心ファンを回転させる送風モータとを具備しており、半径方向外側に向かって冷気を送風する。
【００４８】
支持基体６３は、前面視で略円盤形状の合成樹脂から成る部材である。図５（Ｂ）に示すように、支持基体６３の周辺部は前方に向かって略直角に曲折されている。支持基体６３には、カム収納部６２が形成されているが、これは図６を参照して後述する。
【００４９】
支持基体６３の周辺部には、側壁部５８が形成されている。側壁部５８は、支持基体６３から後方に向かって伸びる壁状の部位である。側壁部５８は、支持基体６３の周方向に関して略等間隔に複数（本実施形態では６個）配置されている。側壁部５８の後端は、ビス等の締結手段を介して、図４（Ｂ）に示した仕切体６６に締結されている。
【００５０】
回動遮蔽壁７１は、矩形状の合成樹脂からなる板状部材であり、支持基体６３の外縁の接線方向に沿う長辺を有している。回動遮蔽壁７１は、支持基体６３の周縁部付近に、支持基体６３の主面に平行な軸線回りに、後方に向かって回動可能に取り付けられている。回動遮蔽壁７１は、支持基体６３の周縁部付近に、複数（本実施形態では６個）が配設されている。回動遮蔽壁７１は、送風機４７で送風される冷気が流通する経路に配置され、風路を遮蔽する。
【００５１】
回転プレート７３は、前面視で略円盤形状の鋼板から成り、支持基体６３の前方側に回転自在に配設されている。回転プレート７３には、回動遮蔽壁７１を回動させるための移動軸スライド溝８０が形成されている。回転プレート７３の周縁部にはトルクを伝達するためのギア部７７が形成されている。後述するように、駆動モータ７４を駆動し、ギア３０のギア部７７を介してトルクが伝達し、回転プレート７３を回転させることで、回動遮蔽壁７１が開閉動作する。
【００５２】
蓋部材５７は、回転プレート７３を前方から覆う板状の部材であり、回転プレート７３よりも若干大きく形成され、正面視で略円形を呈している。
【００５３】
支持基体６３の左方部分には、回転プレート７３を回転駆動する駆動モータ７４が取り付けられるフランジが形成され、駆動モータ７４と回転プレート７３との間には、回転速度およびトルクを伝達するギア３０が配設される。ギア３０と回転プレート７３とが噛合することにより、駆動モータ７４のトルクが回転プレート７３に伝達される。  
【００５４】
図６を参照して、上記した回動遮蔽壁７１を駆動する遮蔽壁駆動機構６０を説明する。図６（Ａ）は遮蔽装置７０の下方部分を示す分解斜視図であり、図６（Ｂ）はカム６１を示す斜視図である。
【００５５】
図６（Ａ）を参照して、遮蔽壁駆動機構６０は、カム６１と、回転プレート７３と、を備えている。
【００５６】
カム６１は、合成樹脂から成る扁平な直方体形状の部材である。図６（Ｂ）に示すように、カム６１の一方端にはピン５５を挿通可能な孔部が形成される回動連結部４８が形成されている。カム６１は、支持基体６３のカム収納部６２に収納される。
【００５７】
カム収納部６２は、支持基体６３に形成された空洞であり、支持基体６３の半径方向に沿って細長く形成される。カム収納部６２は、各回動遮蔽壁７１に対応して形成される。カム収納部６２の大きさは、カム６１を収容でき、且つ、カム６１が半径方向に沿ってスライドできる程度である。
【００５８】
移動軸７６は、図６（Ｂ）に示すように、カム６１の前面から突出する円柱状の突起体である。移動軸７６の直径は、回転プレート７３に形成される移動軸スライド溝８０の幅よりも若干短い程度である。移動軸７６は、回転プレート７３の移動軸スライド溝８０に、摺動可能に係合する。
【００５９】
図６（Ａ）に示すように、回動遮蔽壁７１には、回動遮蔽壁７１の基端部から傾斜して突出する回動連結部６８が形成されている。回動連結部６８には、ピン５５を挿通することが可能な孔部が形成されている。また、回動遮蔽壁７１の上辺の両端部付近には、回動連結部６４が形成されている。回動連結部６４には、ピン６９を挿通することが可能な孔部が形成されている。
【００６０】
支持基体６３の周縁部付近には、リブ３２および回動連結部５４が形成されている。リブ３２および回動連結部５４は、各回動遮蔽壁７１に対応して設けられている。
【００６１】
リブ３２は、支持基体６３の後方に突出する壁状の部位であり、隣り合う側壁部５８間を直線で結んで形成される。リブ３２の各端部は側壁部５８に連結されている。回動遮蔽壁７１の回動連結部６８側端部は、リブ３２に当接する。
【００６２】
回動連結部５４は、各リブ３２の近傍に形成されている。回動連結部５４には、ピン６９を挿通することができる孔部が形成されている。
【００６３】
回動連結部４８の孔部と回動連結部６８の孔部にピン５５が挿通されることにより、カム６１と回動遮蔽壁７１とはピン５５周りに回動可能に接続される。
【００６４】
また、回動連結部５４の孔部と回動連結部６４の孔部にピン６９が挿通されることにより、支持基体６３と回動遮蔽壁７１とは回動可能に連結される。
【００６５】
遮蔽壁駆動機構６０を上記のように構成することにより、駆動モータ７４を駆動して回転プレート７３を回転させることにより、移動軸７６が移動軸スライド溝８０内を摺動する。これによってカム６１はカム収納部６２内をスライド移動する。カム６１をスライドさせることで、回動遮蔽壁７１をピン５５周りに回動させることが出来る。具体的には、カム６１を支持基体６３の周縁部側にスライドさせると、回動遮蔽壁７１は回動連結部６４を回動中心として、起立状態となるように回動し、回動遮蔽壁７１は支持基体６３の主面に対して直交した状態となる。一方、カム６１を支持基体６３の中心側にスライドさせると、回動遮蔽壁７１は回動連結部６４を回動中心として、横臥状態となるように回動し、回動遮蔽壁７１は支持基体６３の主面に対して略平行な状態となる。
【００６６】
したがって、移動軸スライド溝８０を支持基体６３の周縁部側に形成すれば、回動遮蔽壁７１を閉状態とすることができる。反対に移動軸スライド溝８０を支持基体６３の中心側に形成すれば、回動遮蔽壁７１を開状態とすることができる。この原理を利用して、各回動遮蔽壁７１に対応する移動軸スライド溝８０の形状を選択すれば、各回動遮蔽壁７１の開閉状態を任意に設定することができる。これによって、複雑な構成を採用せずに、回動遮蔽壁７１を全開状態としたり、全閉状態としたりすることもでき、また一部の回動遮蔽壁７１が閉状態または開状態である状態とすることもできる。
【００６７】
図５（Ｂ）に示したように、遮蔽壁駆動機構６０を構成する回転プレート７３およびカム６１は、支持基体６３および蓋部材５７で挟まれた領域に配設される。よって、図４（Ｂ）を参照して、遮蔽壁駆動機構６０を構成する各部材は、冷気が流通する冷凍室供給風路３１に露出しない。従って、冷気が遮蔽壁駆動機構６０に吹き付けられないので、遮蔽壁駆動機構６０が凍結することを防止することができる。
【００６８】
また、図６（Ａ）を参照して、回動遮蔽壁７１の長手方向の各端部には、側壁部５８が形成されている。回動遮蔽壁７１を閉状態とすると、回動遮蔽壁７１の長手方向の各端部は側壁部５８に当接する。このように、回動遮蔽壁７１の長手方向各端部に側壁部５８を形成することで、回動遮蔽壁７１が閉状態にあるときにおける気密性を向上することができるので、冷却時の冷気漏れや除霜時の暖気流入を確実に抑制することができる。
【００６９】
また、図６（Ａ）を参照して、支持基体６３にリブ３２を形成することで、回動遮蔽壁７１を閉鎖状態とした際に、回動遮蔽壁７１の回動連結部６８側端部がリブ３２に当接する。これによって、回動遮蔽壁７１で閉鎖した際の気密性を更に向上することができる。
【００７０】
図７は遮蔽装置７０を示す図であり、図７（Ａ）は遮蔽装置７０の回動遮蔽壁を後方から見て示す図であり、図７（Ｂ）は回転プレートの構成を後方から見て示す図である。
【００７１】
図７（Ａ）を参照して、遮蔽装置７０は、上記した回動遮蔽壁７１として、回動遮蔽壁７１１，７１２，７１３，７１４，７１５，７１６を有している。回動遮蔽壁７１１ないし回動遮蔽壁７１６は、支持基体６３の接線方向に対して略平行な長辺を有する長方形形状を呈している。また、回動遮蔽壁７１１ないし回動遮蔽壁７１６は、図５（Ａ）に示した支持基体６３の周縁部に回動可能に取り付けられている。
【００７２】
回動遮蔽壁７１１の半径方向内側端部は、移動軸７６１が形成されたカム６１１に回動可能に接続されている。同様に、回動遮蔽壁７１２の半径方向内側端部は、移動軸７６２が形成されたカム６１２に回動可能に接続されている。回動遮蔽壁７１３の半径方向内側端部は、移動軸７６３が形成されたカム６１３に回動可能に連結されている。また、回動遮蔽壁７１４の半径方向内側端部は、移動軸７６４が形成されたカム６１４に回動可能に連結されている。回動遮蔽壁７１５の半径方向内側端部は、移動軸７６５が形成されたカム６１５に回動可能に連結されている。回動遮蔽壁７１６の半径方向内側端部は、移動軸７６６が形成されたカム６１６に回動可能に連結されている。
【００７３】
図７（Ｂ）を参照して、回転プレート７３は、略円板状に成型された鋼板であり、上記した回動遮蔽壁７１１等の開閉動作を司るための移動軸スライド溝８０が複数形成されている。また、回転プレート７３の周縁部の一部分にはギア溝４９が形成されており、図５（Ａ）に示したギア３０とギア溝４９とが歯合することで、駆動モータ７４のトルクで回転プレート７３が回転する。
【００７４】
回転プレート７３には、移動軸スライド溝８０として、移動軸スライド溝８０１，８０２，８０３，８０４，８０５，８０６が形成されている。移動軸スライド溝８０１ないし移動軸スライド溝８０６は、回転プレート７３の円周方向に沿って形成された、溝状部位である。移動軸スライド溝８０１ないし移動軸スライド溝８０６は、図７（Ａ）に示したカム６１１ないしカム６１６をスライドさせるために、所定の曲折形状を呈している。更に、移動軸スライド溝８０１ないし移動軸スライド溝８０６には、上記した移動軸７６１ないし移動軸７６６が係合する。
【００７５】
移動軸スライド溝８０１は、溝部８０１３ないし溝部８０１１から構成されている。溝部８０１３は半径方向外側で円周方向に沿って伸び、溝部８０１２は時計回りに於いて半径方向内側に向かって傾斜し、溝部８０１１は半径方向内側で円周方向に沿って伸びている。
【００７６】
移動軸スライド溝８０２は、溝部８０２６ないし溝部８０２１から構成されている。溝部８０２６は時計回りに於いて半径方向内側に向かって傾斜し、溝部８０２５は半径方向内側で円周方向に沿って伸び、溝部８０２４は時計回りに於いて半径方向外側に向かって傾斜する。溝部８０２３は半径方向外側で円周方向に沿って伸びる。また、溝部８０２２は時計回りに於いて半径方向内側に向かって傾斜し、溝部８０２１は半径方向内側で円周方向に沿って伸びる。
【００７７】
移動軸スライド溝８０３は、溝部８０３４ないし溝部８０３１から構成されている。溝部８０３４は半径方向内側で円周方向に沿って伸び、溝部８０３３は時計回りに於いて半径方向外側に向かって傾斜する。溝部８０３２は半径方向外側で円周方向に沿って伸び、溝部８０３１は時計回りに於いて半径方向内側に向かって傾斜する。
【００７８】
移動軸スライド溝８０４は、溝部８０４４ないし溝部８０４１から構成される。溝部８０４４は半径方向内側で円周方向に沿って伸び、溝部８０４３は時計回りに於いて半径方向外側に向かって傾斜する。溝部８０４２は半径方向外側で円周方向に沿って伸び、溝部８０４１は時計回りに於いて半径方向内側に向かって傾斜する。
【００７９】
移動軸スライド溝８０５は、溝部８０５４ないし溝部８０５１から構成される。溝部８０５４は半径方向内側で円周方向に沿って伸び、溝部８０５３は時計回りに於いて半径方向外側に向かって傾斜する。溝部８０５２は半径方向外側で円周方向に沿って伸び、溝部８０５１は半径方向内側で時計回りに於いて半径方向内側に向かって傾斜する。
【００８０】
移動軸スライド溝８０６は、溝部８０６６ないし溝部８０６１から構成される。溝部８０６６は時計回りに於いて半径方向内側に向かって傾斜し、溝部８０６５は半径方向内側で円周方向に沿って伸び、溝部８０６４は時計回りに於いて半径方向外側に向かって傾斜する。溝部８０６３は半径方向外側で円周方向に沿って伸び、溝部８０６２は時計回りに於いて半径方向内側に向かって傾斜し、溝部８０６１は半径方向内側で円周方向に沿って伸びる。
【００８１】
また、回転プレート７３の内側部分には、円周方向に沿って伸びる回転軸スライド溝７９が形成されている。ここでは、回転軸スライド溝７９は、等間隔に３個が形成されている。回転軸スライド溝７９にスライド可能に係合する回転軸７５（図８（Ｃ）参照）を介して、回転プレート７３は支持基体６３に保持される。
【００８２】
ここで、図７（Ａ）に示した移動軸７６１等は、図７（Ｂ）に示す移動軸スライド溝８０１等に係合する。具体的には、移動軸７６１が移動軸スライド溝８０１に係合し、移動軸７６２が移動軸スライド溝８０２に係合し、移動軸７６３が移動軸スライド溝８０３に係合する。また、移動軸７６４が移動軸スライド溝８０４に係合し、移動軸７６５が移動軸スライド溝８０５に係合し、移動軸７６６が移動軸スライド溝８０６に係合する。
【００８３】
図８に全閉状態における遮蔽装置７０の構成を示す。図８（Ａ）は全閉状態の遮蔽装置７０を後方から見た図であり、図８（Ｂ）は図８（Ａ）のＢ−Ｂ線に於ける断面図であり、図８（Ｃ）は全閉状態における回転プレート７３等を後方から見た図であり、図８（Ｄ）は図８（Ｂ）の要所拡大図である。ここで、全閉状態とは、送風機４７の周囲を回動遮蔽壁７１で遮蔽し、これにより図４に示した送風口２７を閉鎖する状態である。また、この全閉状態では、送風機４７は回転しない。
【００８４】
図８（Ａ）を参照して、遮蔽装置７０は、全閉状態では送風機４７から外部への空気の流出を防止する。即ち、全閉状態では、全ての遮蔽装置７０が起立状態であり、冷気を供給する風路との連通は遮断され、冷蔵室１５および冷凍室１７には冷気が供給されない。また、図２に示した冷却器４５を除霜する除霜行程でも、遮蔽装置７０が全閉状態となることで、暖気が冷却室２６から冷蔵室１５および冷凍室１７に流入しない。
【００８５】
図８（Ｂ）を参照して、全閉状態では、回動遮蔽壁７１は、支持基体６３の主面に対して略垂直に起立する閉状態となっている。ここでは、遮蔽装置７０が有する全ての回動遮蔽壁７１が閉状態となる。また、この状態では、回動遮蔽壁７１の後方端部は、図４に示す仕切体６６に当接しているか、仕切体６６の直近に配置されている。このようにすることで、回動遮蔽壁７１で風路を閉鎖する際の気密性を向上することができる。
【００８６】
図８（Ｃ）を参照して、遮蔽装置７０を全閉状態とする際には、先ず、駆動モータ７４を駆動することでギア３０を介して回転プレート７３を回転させる。ここでは、回転プレート７３を回転させることで、各移動軸７６を移動軸スライド溝８０内で摺動させ、各移動軸７６を半径方向外側に移動する。この結果、図８（Ｄ）に示すように、カム６１は、半径方向外側に向かって移動する。そして、カム６１と回転可能に連結されている回動遮蔽壁７１は、回動連結部６８近傍を回動中心として回動し、支持基体６３の主面に対して略直角に起立する閉状態となる。図８（Ｄ）では、開状態から閉状態に遷移する途中段階の回動遮蔽壁７１を図示している。
【００８７】
図９に全開状態における遮蔽装置７０の構成を示す。図９（Ａ）は全開状態の遮蔽装置７０を後方から見た図であり、図９（Ｂ）は図９（Ａ）のＣ−Ｃ線に於ける断面図であり、図９（Ｃ）は全開状態における回転プレート７３等を後方から見た図であり、図９（Ｄ）は図９（Ｂ）の要所拡大図である。ここで、全開状態とは、送風機４７の周囲を回動遮蔽壁７１で冷気を供給する風路との連通を遮蔽せず、これにより送風機４７で送風される冷気が周囲に広がる状態である。
【００８８】
図９（Ａ）を参照して、遮蔽装置７０は、全開状態では送風機４７から外部への空気の流れを妨げない。即ち、全開状態では、遮蔽装置７０が送風機４７から送風される冷気は、回動遮蔽壁７１に干渉されることなく、冷蔵室１５および冷凍室１７に送風される。図９（Ａ）に示すように、全開状態では、全ての回動遮蔽壁７１は周囲に向かって開いた状態となっている。
【００８９】
図９（Ｂ）を参照して、全開状態では、回動遮蔽壁７１は、支持基体６３の主面に対して略平行な開状態となっている。遮蔽装置７０が有する全ての回動遮蔽壁７１が開状態となることで、送風機４７から送風される風路に回動遮蔽壁７１が存在せず、風路の流路抵抗を小さくし、送風機４７の送風量を増大することができる。
【００９０】
図９（Ｃ）を参照して、遮蔽装置７０を全開状態とする際には、駆動モータ７４を駆動することでギア３０を介して回転プレート７３を回転させ、各移動軸７６を移動軸スライド溝８０内で摺動させる。これにより、各移動軸７６が半径方向内側に移動する。そのようになると、図９（Ｄ）に示すとおり、カム６１が、半径方向内側に向かって移動する。その結果、カム６１の上端部分に対して回動可能に接続されている回動遮蔽壁７１は、回動連結部６８の近傍を回転中心として回動し、回動遮蔽壁７１の主面が、カム収納部６２の主面に対して略平行な状態となる。
【００９１】
図１０は本発明の実施形態に係る遮蔽装置７０において、下段冷凍室１９のみに冷気を供給する状態を示し、（Ａ）は遮蔽装置７０を後方から見た図であり、（Ｂ）は回転プレート７３を後方から見た図である。図１１は本発明の実施形態に係る遮蔽装置７０において、下段冷凍室１９のみに冷気を供給する際の風路の状況を後方から見た図である。図１２は本発明の実施形態に係る遮蔽装置７０において、冷凍室１７のみに冷気を供給する際を示し、（Ａ）は遮蔽装置７０を後方から見た図であり、（Ｂ）は回転プレート７３を後方から見た図である。図１３は本発明の実施形態に係る遮蔽装置７０において、冷凍室１７のみに冷気を供給する際の風路の状況を後方から見た図である。図１４は本発明の実施形態に係る遮蔽装置７０において、上段冷凍室１８のみに冷気を供給する状態を示し、（Ａ）は遮蔽装置７０を後方から見た図であり、（Ｂ）は回転プレート７３を後方から見た図である。図１５は本発明の実施形態に係る遮蔽装置７０において、上段冷凍室１８のみに冷気を供給する際の風路の状況を後方から見た図である。図１６は本発明の実施形態に係る遮蔽装置７０において、冷気を供給しない状態を示し、（Ａ）は遮蔽装置７０を後方から見た図であり、（Ｂ）は回転プレート７３を後方から見た図である。図１７は本発明の実施形態に係る遮蔽装置７０において、冷気を供給しない際の風路の状況を後方から見た図である。
【００９２】
図１８は本発明の実施形態に係る遮蔽装置７０において、冷蔵室１５のみに冷気を供給する状態を示し、（Ａ）は遮蔽装置７０を後方から見た図であり、（Ｂ）は回転プレート７３を後方から見た図である。図１９は本発明の実施形態に係る遮蔽装置７０において、冷蔵室１５のみに冷気を供給する際の風路の状況を後方から見た図である。図２０は本発明の実施形態に係る遮蔽装置７０において、上段冷凍室１８および冷蔵室１５に冷気を供給する状態を示し、（Ａ）は遮蔽装置７０を後方から見た図であり、（Ｂ）は回転プレート７３を後方から見た図である。図２１は本発明の実施形態に係る遮蔽装置７０において、上段冷凍室１８および冷蔵室１５に冷気を供給する際の風路の状況を後方から見た図である。
【００９３】
図２２は本発明の実施形態に係る遮蔽装置７０において、冷凍室１７全体および冷蔵室１５に冷気を供給する状態を示し、（Ａ）は遮蔽装置７０を後方から見た図であり、（Ｂ）は回転プレート７３を後方から見た図である。図２３は本発明の実施形態に係る遮蔽装置７０において、冷凍室１７全体および冷蔵室１５に冷気を供給する際の風路を後方から見た図である。
【００９４】
以下、図１０から図２３を参照して、遮蔽装置７０の回転プレート７３を回転させることで、回動遮蔽壁７１１〜７１６を開閉し、風路の開閉および切替えを行う動作を説明する。以下の各図に於いては、時計回り方向を「順方向」と称し、反時計回りの方向を「逆方向」と称する。更に、以下の説明では、回転プレート７３の半径方向および円周方向を、単に、半径方向および円周方向と称する。
【００９５】
図１０および図１１に、下段冷凍室１９に冷気を供給する状態を示す。図１０（Ａ）はこの状態に於ける遮蔽装置７０を後方から見た図であり、図１０（Ｂ）はこの状態に於ける回転プレート７３を後方から見た図であり、図１１にはこの状態に於ける風路の状況を後方から見た図である。
【００９６】
図１０（Ａ）を参照して、下段冷凍室１９のみに冷気を供給する状況では、回動遮蔽壁７１２，７１１，７１６は閉状態であり、回動遮蔽壁７１３，７１４，７１５は開状態である。係る開閉状態とすることで、送風機４７で下段冷凍室１９のみに冷気を送風することができる。
【００９７】
図１０（Ｂ）を参照して、この状態では、各移動軸スライド溝８０１〜８０６の逆方向側の端部に、移動軸７６１〜７６６が配置されている。具体的には、移動軸スライド溝８０１の溝部８０１３の逆方向端部に移動軸７６１が配置され、移動軸スライド溝８０２の溝部８０２６の逆方向端部に移動軸７６２が配置され、移動軸スライド溝８０３の溝部８０３４の逆方向端部に移動軸７６３が配置されている。また、移動軸スライド溝８０４の溝部８０４４の逆方向端部に移動軸７６４が配置され、移動軸スライド溝８０５の溝部８０５４の逆方向端部に移動軸７６５が配置され、移動軸スライド溝８０６の溝部８０６６の逆方向端部に移動軸７６６が配置されている。
【００９８】
このとき、移動軸７６１，７６２，７６６が半径方向外側に配置され、回動遮蔽壁７１１，７１２，７１６が閉状態と成る。一方、移動軸７６３，７６４，７６５は半径方向内側に配置され、回動遮蔽壁７１３，７１４，７１５は開状態と成る。
【００９９】
図１１を参照して、遮蔽装置７０が図１０に示した状態となると、回動遮蔽壁７１３，７１４，７１５が開状態となるので、冷気は下段冷凍室供給風路５３に送風される。下段冷凍室供給風路５３に流れた冷気は、吹出口３４を経由して、図２に示す下段冷凍室１９に吹き出される。
【０１００】
一方、回動遮蔽壁７１１，７１２，７１６が閉状態であることで、図２に示す冷蔵室１５および上段冷凍室１８には冷気が送風されない。
【０１０１】
図１２および図１３に、冷凍室１７のみに冷気を供給する状態を示す。図１２（Ａ）はこの状態に於ける遮蔽装置７０を後方から見た図であり、図１２（Ｂ）はこの状態に於ける回転プレート７３を後方から見た図であり、図１３にはこの状態に於ける風路の状況を後方から見た図である。
【０１０２】
図１２（Ａ）を参照して、下段冷凍室１９のみに冷気を供給する状況では、回動遮蔽壁７１１は閉状態であり、回動遮蔽壁７１２，７１３，７１４，７１５，７１６は開状態である。係る開閉状態とすることで、送風機４７で図２に示す冷凍室１７に冷気を送風することができる。
【０１０３】
図１２（Ｂ）を参照して、この状態では、図１０（Ｂ）に示した状態から回転プレート７３を逆方向に回転させた状態となっている。
【０１０４】
具体的には、移動軸スライド溝８０１の溝部８０１３の中間部に移動軸７６１が配置され、移動軸スライド溝８０２の溝部８０２６の順方向端部に溝部８０２６に移動軸７６２が配置され、移動軸スライド溝８０３の溝部８０３４の順方向端部に溝部８０３４に移動軸７６３が配置されている。また、移動軸スライド溝８０４の溝部８０４４の順方向端部に移動軸７６４が配置され、移動軸スライド溝８０５の溝部８０５４の順方向端部に溝部８０５４に移動軸７６５が配置され、移動軸スライド溝８０６の溝部８０６６の順方向端部に溝部８０６６に移動軸７６６が配置されている。  
【０１０５】
上記のようにすることで、移動軸７６１は半径方向外側に配置されたままになり、回動遮蔽壁７１１は閉状態のまま維持される。一方、移動軸７６２，７６３，７６４，７６５，７６６は半径方向内側に配置され、回動遮蔽壁７１２，７１３，７１４，７１５，７１６は開状態と成る。
【０１０６】
図１３を参照して、遮蔽装置７０が図１２に示した状態となると、回動遮蔽壁７１２，７１６が開状態となることで、冷気は上段冷凍室供給風路５２に送風され、吹出口３４を介して図２に示す上段冷凍室１８に吹き出される。また、回動遮蔽壁７１３，７１４，７１５も開状態となることで、冷気は下段冷凍室供給風路５３に送風され、吹出口３４を経由して図２に示す下段冷凍室１９に吹き出される。
【０１０７】
一方、回動遮蔽壁７１１は閉状態であることで、冷蔵室１５には冷気が送風されない。
【０１０８】
図１４および図１５に、上段冷凍室１８のみに冷気を供給する状態を示す。図１４（Ａ）はこの状態に於ける遮蔽装置７０を後方から見た図であり、図１４（Ｂ）はこの状態に於ける回転プレート７３を後方から見た図であり、図１５にはこの状態に於ける風路の状況を後方から見た図である。
【０１０９】
図１４（Ａ）を参照して、図２に示す上段冷凍室１８のみに冷気を供給する状況では、回動遮蔽壁７１１，７１３，７１４，７１５は閉状態であり、回動遮蔽壁７１２，７１６は開状態である。係る開閉状態とすることで、送風機４７で上段冷凍室１８のみに冷気を送風することができる。
【０１１０】
図１４（Ｂ）を参照して、この状態では、図１２（Ｂ）に示した状態から回転プレート７３を逆方向に回転させた状態となっている。
【０１１１】
具体的には、移動軸スライド溝８０１の溝部８０１３の中間部に移動軸７６１が配置され、移動軸スライド溝８０２の溝部８０２５の順方向端部に移動軸７６２が配置され、移動軸スライド溝８０３の溝部８０３３の順方向端部に移動軸７６３が配置されている。また、移動軸スライド溝８０４の溝部８０４３の順方向端部に移動軸７６４が配置され、移動軸スライド溝８０５の溝部８０５３の順方向端部に移動軸７６５が配置され、移動軸スライド溝８０６の溝部８０６５の順方向端部に移動軸７６６が配置されている。
【０１１２】
このとき、移動軸７６１，７６３，７６４，７６５が半径方向外側に配置され、回動遮蔽壁７１１，７１３，７１４，７１５は閉状態となる。一方、移動軸７６２，７６６は半径方向内側に配置され、回動遮蔽壁７１２，７１６は開状態と成る。
【０１１３】
図１５を参照して、遮蔽装置７０が図１４に示した状態となると、回動遮蔽壁７１２，７１６が開状態となることで、冷気は上段冷凍室供給風路５２に送風され、吹出口３４を介して、上段冷凍室１８に吹き出される。
【０１１４】
一方、回動遮蔽壁７１１は閉状態であるので、冷蔵室１５には冷気が送風されない。また、回動遮蔽壁７１３，７１４，７１５も閉状態であるので、下段冷凍室１９には冷気が送風されない。
【０１１５】
図１６および図１７に、遮蔽装置７０が、全ての風路を閉鎖する全閉状態を示す。図１６（Ａ）はこの状態に於ける遮蔽装置７０を後方から見た図であり、図１６（Ｂ）はこの状態に於ける回転プレート７３を後方から見た図であり、図１７にはこの状態に於ける風路の状況を後方から見た図である。
【０１１６】
図１６（Ａ）を参照して、全閉状態では、回動遮蔽壁７１１〜７１６は閉状態である。係る状態とすることで、各風路に空気が流れることを防止することができる。
【０１１７】
図１６（Ｂ）を参照して、この状態では、図１４（Ｂ）に示した状態から回転プレート７３を逆方向に回転させた状態となっている。
【０１１８】
具体的には、移動軸スライド溝８０１の溝部８０１３の順方向端部に移動軸７６１が配置され、移動軸スライド溝８０２の溝部８０２４の順方向端部に移動軸７６２が配置され、移動軸スライド溝８０３の溝部８０３２の中間部に移動軸７６３が配置されている。また、移動軸スライド溝８０４の溝部８０４２の中間部に移動軸７６４が配置され、移動軸スライド溝８０５の溝部８０５２の中間部に移動軸７６５が配置され、移動軸スライド溝８０６の溝部８０６４の順方向端部に移動軸７６６が配置されている。
【０１１９】
このとき、移動軸７６１〜７６６は半径方向外側に配置され、回動遮蔽壁７１１〜７１６は閉状態となる。
【０１２０】
図１７を参照して、遮蔽装置７０が図１６に示した状態となると、回動遮蔽壁７１１〜７１６は閉状態となり、全ての貯蔵室には空気が供給されない。換言すると、冷却室２６と各風路とを、回動遮蔽壁７１１〜７１６で遮蔽することができる。よって、除霜行程で冷却室２６の内部を温めた際に、冷却室２６の内部の暖気が各風路を経由して各貯蔵室に漏れ出すことを防止することができる。本実施形態では、回動遮蔽壁７１１〜７１６で気密性高く風路を遮蔽することができるので、この遮蔽効果を大きくすることができる。
【０１２１】
図１８および図１９に、冷蔵室１５のみに冷気を供給する状態を示す。図１８（Ａ）はこの状態に於ける遮蔽装置７０を後方から見た図であり、図１８（Ｂ）はこの状態に於ける回転プレート７３を後方から見た図であり、図１９にはこの状態に於ける風路の状況を後方から見た図である。
【０１２２】
図１８（Ａ）を参照して、上段冷凍室１８のみに冷気を供給する状況では、回動遮蔽壁７１１は開状態であり、回動遮蔽壁７１２〜７１６は閉状態である。係る開閉状態とすることで、後述するように、送風機４７で冷蔵室１５のみに冷気を送風することができる。
【０１２３】
図１８（Ｂ）を参照して、この状態では、図１６（Ｂ）に示した状態から回転プレート７３を逆方向に回転させた状態となっている。
【０１２４】
具体的には、移動軸スライド溝８０１の溝部８０１２の順方向端部に移動軸７６１が配置され、移動軸スライド溝８０２の溝部８０２３の順方向端部に移動軸７６２が配置され、移動軸スライド溝８０３の溝部８０３２の中間部に移動軸７６３が配置されている。また、移動軸スライド溝８０４の溝部８０４２の中間部に移動軸７６４が配置され、移動軸スライド溝８０５の溝部８０５２の中間部に移動軸７６５が配置され、移動軸スライド溝８０６の溝部８０６３の順方向端部に移動軸７６６が配置されている。
【０１２５】
このとき、移動軸７６２〜７６６が半径方向外側に配置され、回動遮蔽壁７１２〜７１６は閉状態となる。一方、移動軸７６１は半径方向内側に配置され、回動遮蔽壁７１１は開状態と成る。
【０１２６】
図１９を参照して、遮蔽装置７０が図１８に示した状態となると、回動遮蔽壁７１１が開状態となることで、冷気は冷蔵室供給風路５１に送風され、冷蔵室供給風路２９を介して冷蔵室１５に吹き出される。また、冷蔵室１５に送風された冷気の一部を、野菜室２０に送風することもできる。
【０１２７】
一方、回動遮蔽壁７１２〜７１６が閉状態であることで、冷凍室１７には冷気が吹き出されない。
【０１２８】
図２０および図２１に、遮蔽装置７０が、冷蔵室１５および上段冷凍室１８に冷気を供給する状態を示す。図２０（Ａ）はこの状態に於ける遮蔽装置７０を後方から見た図であり、図２０（Ｂ）はこの状態に於ける回転プレート７３を後方から見た図であり、図２１にはこの状態に於ける風路の状況を後方から見た図である。
【０１２９】
図２０（Ａ）を参照して、図２に示す冷蔵室１５および上段冷凍室１８に冷気を供給する状況では、回動遮蔽壁７１１，７１２，７１６は開状態であり、回動遮蔽壁７１３〜７１５は閉状態である。係る開閉状態とすることで、送風機４７で冷蔵室１５および上段冷凍室１８に冷気を送風することができる。
【０１３０】
図２０（Ｂ）を参照して、この状態では、図１８（Ｂ）に示した状態から回転プレート７３を逆方向に回転させた状態となっている。
【０１３１】
具体的には、移動軸スライド溝８０１の溝部８０１１の中間部に移動軸７６１が配置され、移動軸スライド溝８０２の溝部８０２２の順方向端部に移動軸７６２が配置され、移動軸スライド溝８０３の溝部８０３２の順方向端部に移動軸７６３が配置されている。また、移動軸スライド溝８０４の溝部８０４２の順方向端部に移動軸７６４が配置され、移動軸スライド溝８０５の溝部８０５２の順方向端部に移動軸７６５が配置され、移動軸スライド溝８０６の溝部８０６２の順方向端部に移動軸７６６が配置されている。
【０１３２】
このとき、移動軸７６３〜７６５が半径方向外側に配置され、回動遮蔽壁７１３〜７１５は閉状態となる。一方、移動軸７６１，７６２，７６６は半径方向内側に配置され、回動遮蔽壁７１１，７１２，７１６は開状態と成る。
【０１３３】
図２１を参照して、遮蔽装置７０が図２０に示した状態となると、回動遮蔽壁７１１が開状態となることで、冷気は冷蔵室供給風路２９を介して冷蔵室１５に送風される。また、回動遮蔽壁７１２，７１６が開状態となることで、冷気は上段冷凍室供給風路５２に送風され、吹出口３４を経由して上段冷凍室１８に吹き出される。
【０１３４】
一方、回動遮蔽壁７１３〜７１５は閉状態であるので、下段冷凍室１９には冷気が送風されない。
【０１３５】
図２２および図２３に、冷蔵室１５および冷凍室１７の両方に冷気を供給する全開状態を示す。図２２（Ａ）はこの状態に於ける遮蔽装置７０を後方から見た図であり、図２２（Ｂ）はこの状態に於ける回転プレート７３を後方から見た図であり、図２３にはこの状態に於ける風路の状況を後方から見た図である。
【０１３６】
図２２（Ａ）を参照して、図２に示す冷蔵室１５および冷凍室１７に冷気を供給する状況では、回動遮蔽壁７１１，７１２，７１３，７１４，７１５，７１６は開状態である。係る全開状態とすることで、後述するように、送風機４７で冷蔵室１５および冷凍室１７に冷気を送風することができる。
【０１３７】
図２２（Ｂ）を参照して、この状態では、図２０（Ｂ）に示した状態から回転プレート７３を逆方向に回転させた状態となっている。また、ここでは移動軸７６１〜７６６は移動軸スライド溝８０１〜８０６の順方向端部に配置されている。  
【０１３８】
具体的には、移動軸スライド溝８０１の溝部８０１１の順方向端部に移動軸７６１が配置され、移動軸スライド溝８０２の溝部８０２１の順方向端部に移動軸７６２が配置され、移動軸スライド溝８０３の溝部８０３１の順方向端部に移動軸７６３が配置されている。また、移動軸スライド溝８０４の溝部８０４１の順方向端部に移動軸７６４が配置され、移動軸スライド溝８０５の溝部８０５１の順方向端部に移動軸７６５が配置され、移動軸スライド溝８０６の溝部８０６１の順方向端部に移動軸７６６が配置されている。
【０１３９】
このとき、移動軸７６１〜７６６は半径方向内側に配置され、回動遮蔽壁７１１〜７１６は開状態となる。
【０１４０】
図２３を参照して、遮蔽装置７０が図２２に示した状態となると、回動遮蔽壁７１１が開状態となることで、冷気は冷蔵室供給風路５１に送風され、冷蔵室供給風路２９を介して冷気は冷蔵室１５に吹き出される。また、回動遮蔽壁７１２，７１６が開状態となることで、冷気は上段冷凍室供給風路５２に送風され、吹出口３４を経由して上段冷凍室１８に吹き出される。更に、回動遮蔽壁７１３〜７１５が開状態となることで、下段冷凍室供給風路５３および吹出口３４を経由して冷気を下段冷凍室１９に供給することができる。
【０１４１】
上記のように、本実施形態に係る遮蔽装置７０は、図５に示した回転プレート７３を回転させることで、各回動遮蔽壁７１１〜７１６の開閉状態を切換えることができる。よって、送風機４７の軸方向に沿って部材が変位することがない。従って、遮蔽装置７０が占有する厚み寸法を小さくすることができる。更に、図３を参照して、遮蔽装置７０が占有する容積を小さくすることができるので、遮蔽装置７０の前方に形成される冷凍室１７の庫内容積を大きくし、より多くの被冷凍物を冷凍室１７に貯蔵することができる。
【０１４２】
［第２実施形態］
図２４から図３０を参照して、第２実施形態に係る遮蔽装置２７０を説明する。第２実施形態に係る遮蔽装置２７０の基本構成および冷蔵庫１０への適用構成は第１実施形態と同様であるので、相違点を中心に説明する。本形態では、ギア機構またはワイヤ機構で、遮蔽装置２７０の開閉を駆動している。
【０１４３】
図２４を参照して、遮蔽装置２７０の構成を説明する。図２４（Ａ）は遮蔽装置２７０を示す斜視図であり、図２４（Ｂ）は遮蔽装置２７０を示す分解斜視図である。
【０１４４】
図２４（Ａ）および図２４（Ｂ）を参照して、遮蔽装置２７０は、支持基体２６３と、回動遮蔽壁２７１と、遮蔽壁駆動機構２６０と、を具備している。遮蔽装置２７０は送風機４７で送風された冷気の風路を遮蔽する装置である。遮蔽装置２７０を開状態とすることで冷却室２６と各貯蔵室とをつなぐ風路を連通させ、遮蔽装置２７０を閉状態とすることで風路を遮断する。
【０１４５】
図２４（Ｂ）を参照して、送風機４７は、ビスなどの締結手段を介して、支持基体２６３の中心部に配設されている。送風機４７は、ここでは図示しないが、例えば、ターボファンなどの遠心ファンと、この遠心ファンを回転させる送風モータとを具備しており、半径方向外側に向かって冷気を送風する。
【０１４６】
支持基体２６３は、一体成型された合成樹脂から成る部材であり、後方から見たら略正方形を呈している。支持基体２６３の各々の側辺には、回動遮蔽壁２７１が回動可能に配設されている。支持基体２６３の一部を後方側に突出させることで、複数の突出部２５８が形成されている。突出部２５８の後端には、被覆板２３５が取り付けられる。
【０１４７】
被覆板２３５は、後方から見たら略正方向を呈する板状の部材であり、中央部に開口部２３６が形成されている。開口部２３６から取り入れられた冷気が送風機４７により周囲に向かって送風される。
【０１４８】
遮蔽壁駆動機構２６０は、回動遮蔽壁２７１の開閉動作を駆動する。遮蔽壁駆動機構２６０は、駆動源である駆動モータ２７４と、駆動モータ２７４の動力を回動遮蔽壁２７１に伝達する動力伝達機構としてのギア２８１１等を有している。遮蔽壁駆動機構２６０の具体的構成は図２５を参照して後述する。
【０１４９】
駆動モータ２７４は、支持基体２６３の左方下端側に配設されており、回動遮蔽壁２７１を開閉動作するための駆動力を発生させる。
【０１５０】
回動遮蔽壁２７１は、矩形状の合成樹脂からなる板状部材であり、回動遮蔽壁２７１１ないし回動遮蔽壁２７１４から成る。回動遮蔽壁２７１の詳細は図２５を参照して後述する。
【０１５１】
図２５を参照して、遮蔽装置２７０を詳述する。図２５（Ａ）は遮蔽装置２７０を示す分解図であり、図２５（Ｂ）は回動遮蔽壁２７１１と回動遮蔽壁２７１４とが駆動的に連結される部分を拡大して示す図である。図２５（Ａ）では、支持基体２６３および送風機４７は、被覆板２３５により覆われている。
【０１５２】
図２５（Ａ）を参照して、回動遮蔽壁２７１は、回動遮蔽壁２７１１ないし回動遮蔽壁２７１４から成る。回動遮蔽壁２７１は、支持基体２６３の各側辺に沿う長辺を有している。回動遮蔽壁２７１は、支持基体２６３の周縁部付近に、支持基体２６３の主面に平行な軸線回りに、回動可能に取り付けられている。回動遮蔽壁２７１は、送風機４７で送風される冷気が流通する経路に配置され、各風路を遮蔽する。また、回動遮蔽壁２７１１ないし回動遮蔽壁２７１４の内側側辺は、回動連結部２６４を介して、支持基体２６３に対して回動可能に取り付けられている。
【０１５３】
回動遮蔽壁２７１１ないし回動遮蔽壁２７１４には、駆動モータ２７４からの動力を伝達させる動力伝達機構としてギア２８１１等が配設されている。具体的には、回動遮蔽壁２７１１の内側両端部にギア２８１２およびギア２８１３が配設されており、回動遮蔽壁２７１２の内側両端部にギア２８１４およびギア２８１５が配設されている。また、ギア２８１３の内側両端部にギア２８１６およびギア２８１７が配設されており、回動遮蔽壁２７１４の両端部には駆動シャフト２５４およびギア２８１１が配設されている。駆動シャフト２５４は駆動モータ２７４により回転される軸である。
【０１５４】
回動遮蔽壁２７１４のギア２８１１は、回動遮蔽壁２７１１のギア２８１２と歯合する。回動遮蔽壁２７１１のギア２８１３は、回動遮蔽壁２７１２のギア２８１４と歯合する。回動遮蔽壁２７１２のギア２８１５は、回動遮蔽壁２７１３のギア２８１６と歯合する。
【０１５５】
図２５（Ｂ）を参照して、回動遮蔽壁２７１４のギア２８１１と、回動遮蔽壁２７１１のギア２８１２とは、例えば、かさ歯車を構成している。係る構成とすることで、回動遮蔽壁２７１４から回動遮蔽壁２７１１に、直交する方向に動力を伝達させることができる。係る構成は、図２５（Ａ）に示した、回動遮蔽壁２７１１のギア２８１３と回動遮蔽壁２７１２のギア２８１４、回動遮蔽壁２７１２のギア２８１５と回動遮蔽壁２７１３のギア２８１６との構成に関しても同様である。
【０１５６】
図２５（Ａ）を再び参照して、遮蔽装置２７０の開閉動作を説明すると、駆動モータ２７４を一方方向に回転させると、その駆動力は、ギア２８１１およびギア２８１２を介して回動遮蔽壁２７１１に伝達され、ギア２８１３およびギア２８１４を介して回動遮蔽壁２７１２に伝達され、ギア２８１５およびギア２８１６を介して回動遮蔽壁２７１３に伝達される。その結果、回動遮蔽壁２７１１ないし回動遮蔽壁２７１４は、同時に、支持基体２６３の主面に対して直交する状態である起立状態となるように回動する。
【０１５７】
駆動モータ２７４を逆方向に回転させると、上記と同様に、その駆動力は回動遮蔽壁２７１１ないし回動遮蔽壁２７１４に伝達され、回動遮蔽壁２７１１ないし回動遮蔽壁２７１４は、同時に、支持基体２６３の主面に対して略平行となる横臥状態となるように回動する。
【０１５８】
図２６に全閉状態における遮蔽装置２７０の構成を示す。図２６（Ａ）は全閉状態の遮蔽装置２７０を後方から見た図であり、図２６（Ｂ）は全閉状態の遮蔽装置２７０が取り付けられた前面カバー６７を後方から見た図である。全閉状態とは、回動遮蔽壁２７１により、冷気を供給する全ての風路を遮蔽する状態である。
【０１５９】
図２６（Ａ）を参照して、駆動モータ２７４の駆動力を、動力伝達機構であるギア２８１１等で回動遮蔽壁２７１１ないし回動遮蔽壁２７１４に伝達させることで、回動遮蔽壁２７１１ないし回動遮蔽壁２７１４は、支持基体２６３の主面に対して起立する起立状態、即ち、各貯蔵室に繋がる風路を閉鎖する閉状態となっている。また、この全閉状態では、送風機４７は回転しない。
【０１６０】
図２６（Ｂ）を参照して、遮蔽装置２７０は、全閉状態では送風機４７から外部への空気の流出を防止する。即ち、全閉状態では、回動遮蔽壁２７１１ないし回動遮蔽壁２７１４が起立状態であり、冷気を供給する風路との連通は遮断され、図２に示す冷蔵室１５および冷凍室１７には冷気が供給されない。また、図２に示した冷却器４５を除霜する除霜行程でも、遮蔽装置２７０が全閉状態となることで、暖気が冷却室２６から冷蔵室１５および冷凍室１７に流入しない。
【０１６１】
図２７に全開状態における遮蔽装置２７０の構成を示す。図２７（Ａ）は全開状態の遮蔽装置２７０を後方から見た図であり、図２７（Ｂ）は全開状態の遮蔽装置２７０が取り付けられた前面カバー６７を後方から見た図である。全開状態とは、回動遮蔽壁２７１で冷気を供給する風路との連通を遮蔽せず、これにより送風機４７で送風される冷気が周囲に広がるように流れる状態である。
【０１６２】
図２７（Ａ）を参照して、遮蔽装置２７０は、全開状態では送風機４７から外部への空気の流れを妨げない。即ち、全開状態では、駆動モータ２７４の駆動力により回動遮蔽壁２７１１ないし回動遮蔽壁２７１４は、支持基体２６３の主面に対して略平行に横臥する横臥状態となっている。よって、遮蔽装置２７０が送風機４７から送風される冷気は、回動遮蔽壁２７１１ないし回動遮蔽壁２７１４に干渉されることなく、冷蔵室１５および冷凍室１７に送風される。
【０１６３】
図２７（Ｂ）を参照して、遮蔽装置２７０が有する全ての回動遮蔽壁２７１１ないし回動遮蔽壁２７１４が横臥する開状態となることで、流路抵抗を小さくし、送風機４７の送風量を増大することができる。具体的には、回動遮蔽壁２７１１が開状態となることで、冷気は冷蔵室供給風路５１に送風され、冷蔵室供給風路２９を介して冷気は、図２に示す冷蔵室１５に吹き出される。また、回動遮蔽壁２７１２および回動遮蔽壁２７１４が開状態となることで、冷気は上段冷凍室供給風路５２に送風され、吹出口３４を経由して、図２に示す上段冷凍室１８に吹き出される。更に、回動遮蔽壁２７１３が開状態となることで、下段冷凍室供給風路５３および吹出口３４を経由して冷気を下段冷凍室１９（図２参照）に供給することができる。
【０１６４】
ここで、上記した回動遮蔽壁２７１１ないし回動遮蔽壁２７１４を、半開状態にすることもできる。具体的には、ここでは図示しない制御装置の指示に基づいて、図２６（Ａ）に示す全閉状態から、図２７（Ａ）に示す全開状態に遷移する際に、ステッピングモータである駆動モータ２７４を途中で停止させることで、回動遮蔽壁２７１１ないし回動遮蔽壁２７１４を半開状態にすることができる。回動遮蔽壁２７１１ないし回動遮蔽壁２７１４を半開状態にすることで、冷凍室１７に送風される冷気の風量を精密に調整することができる。
【０１６５】
また、図２を参照して、冷蔵室供給風路２９にダンパ２２を介装し、更に、図２６（Ａ）に示す回動遮蔽壁２７１１を省くことができる。即ち、遮蔽装置２７０は、回動遮蔽壁２７１２、回動遮蔽壁２７１３および回動遮蔽壁２７１４のみを有する。更に、回動遮蔽壁２７１２、回動遮蔽壁２７１３および回動遮蔽壁２７１４は、全閉状態、全開状態および半開状態をとることができる。このようにすることで、冷蔵室１５および冷凍室１７への送風の自由度を自在に調整することができる。
【０１６６】
図２８ないし図３０を参照して、他の形態に係る遮蔽装置２９０の構成等を説明する。図２８（Ａ）は閉状態の遮蔽装置２９０を示す斜視図であり、図２８（Ｂ）は開状態の遮蔽装置２９０を示す斜視図であり、図２９は遮蔽装置２９０を詳細に示す分解斜視図である。図３０（Ａ）は遮蔽装置２９０を全開状態にする方法を示す図であり、図３０（Ｂ）は遮蔽装置２９０を全閉状態にする方法を示す図である。
【０１６７】
図２８（Ａ）を参照して、遮蔽装置２９０は、送風機２９４を周囲から囲み風路を開閉する複数の回動遮蔽壁２９１とを有している。送風機２９４は、略円盤形状を呈している支持基体２９６の後面中心部に配設されている。回動遮蔽壁２９１の端部は、回動連結部２９３を介して、支持基体２９６の周辺部に回動可能に取り付けられている。回動遮蔽壁２９１は支持基体２９６の周辺部に、一例として１２個が取り付けられている。閉状態に於いては、回動遮蔽壁２９１は、支持基体２９６の主面に対して直立する起立状態となっている。換言すると、支持基体２９６の周辺部に、複数の回動遮蔽壁２９１から成る環状の壁体が形成される。
【０１６８】
また、遮蔽装置２９０は、回動遮蔽壁２９１の開閉動作のための駆動力を伝達する動力伝達として、ワイヤ２９２を有している。具体的には、各々の回動遮蔽壁２９１の内側端部に、ワイヤ挿通部２９５が形成されている。ワイヤ２９２は、各々の回動遮蔽壁２９１のワイヤ挿通部２９５に挿通されており、全体として略環状を呈している。よって、ワイヤ２９２を絞ることで縮径させると、回動遮蔽壁２９１は回動連結部２９３を起点として起立するように回動し、支持基体２９６の主面に対して略直交するようになる起立状態となる。遮蔽装置２９０を閉状態とすることで、図２６（Ｂ）に示したように、各貯蔵室への送風を停止することができる。
【０１６９】
図２８（Ｂ）に、全開状態の遮蔽装置２９０を示す。ここでは、各々の回動遮蔽壁２９１が、支持基体２９６の主面に対して略平行となる全開状態となっている。ワイヤ２９２の環形状が拡径するように、ワイヤ２９２を繰り出すことで、回動遮蔽壁２９１を半径方向外側に向かって横臥するように回動させ、回動遮蔽壁２９１を全開状態にすることができる。遮蔽装置２９０を全開状態とすることで、図２７（Ｂ）に示したように、各貯蔵室に冷気を送風することができる。
【０１７０】
図２９の分解斜視図を参照して、遮蔽装置２９０の具体的構成を説明する。遮蔽装置２９０は、後方側から、蓋部２９７、送風機２９４、ワイヤカバー２８８、回動遮蔽壁２９１、支持基体２９６、ワイヤ回転体２８６、蓋部２９９、駆動モータ２８９を有している。
【０１７１】
蓋部２９７は、略円形の外形形状を呈しており、送風機２９４で送風される冷気を取り入れるための開口部２８２が形成されている。蓋部２９７は、後方側から送風機２９４を塞いでいる。
【０１７２】
送風機２９４は、上記した送風機４７と同様であり、開口部２８２を経由して取り入れた冷気を、円周方向外側に向かって送風する。送風機２９４は、送風機取付部２８７を介して、支持基体２９６に取り付けられている。
【０１７３】
ワイヤカバー２８８は、略円環状に形成された板材から成り、ワイヤ２９２を後方から保護することで、ワイヤ２９２の移動を許容する為の空間を確保する。
【０１７４】
回動遮蔽壁２９１は、送風機２９４の周囲に複数が配置され、回動することにより送風機２９４から周囲に広がる風路の開閉動作を行う。
【０１７５】
支持基体２９６は、略環状に形成された板材から成り、回動遮蔽壁２９１およびワイヤ２９２が配設される。支持基体２９６の周囲には、回動遮蔽壁２９１の回動連結部２９３（図２８（Ａ）参照）に対応して、回動連結部２９８が形成されている。回動遮蔽壁２９１の各々の回動連結部２９３は、支持基体２９６の回動連結部２９８に回動可能に連結される。また、支持基体２９６には、上記したワイヤ２９２の一端が固定される。更に、支持基体２９６の内側部分に溝２８５が形成されている。溝２８５は円周方向に沿って細長く形成されている。ワイヤ２９２の端部は、溝２８５を介してワイヤ回転体２８６に接続されている。
【０１７６】
ワイヤ回転体２８６は、略円盤形状に形成された板材から成り、支持基体２９６の前方に配置されている。ワイヤ回転体２８６は、ワイヤ２９２の他端側が接続される。また、ワイヤ回転体２８６は、ここでは図示しないギアを介して、駆動モータ２８９と駆動的に接続されている。よって、駆動モータ２８９が一方方向に回転すると、ワイヤ回転体２８６も一方方向に回転する。逆に、駆動モータ２８９が逆方向に回転すると、ワイヤ回転体２８６も逆方向に回転する。
【０１７７】
蓋部２９９は、ワイヤ回転体２８６を前方から保護する略円盤形状を呈する板材である。蓋部２９９には駆動モータ２８９が取り付けられる。
【０１７８】
ワイヤ２９２は、一端側のワイヤ端部２９２１と、他端側のワイヤ端部２９２２を有する。ワイヤ端部２９２１は、後述するワイヤ固定部２８４を介して回動連結部２９８に固定され、ワイヤ回転体２８６が回転してもその位置は変動しない。ワイヤ端部２９２２は、後述するワイヤ固定部２８３を介してワイヤ回転体２８６に固定され、ワイヤ回転体２８６の回転に伴い、ワイヤ回転体２８６の円周方向に沿って変位する。
【０１７９】
図３０を参照して、ワイヤ２９２を操作することで回動遮蔽壁２９１を開閉動作させる具体的方法を説明する。図３０（Ａ）は開状態の遮蔽装置２９０を示し、図３０（Ｂ）は閉状態の遮蔽装置２９０を示している。
【０１８０】
図３０（Ａ）を参照して、上記したように、ワイヤ２９２の一端は、ワイヤ固定部２８４を介して、図２９に示した支持基体２９６に固定されている。ワイヤ固定部２８４の位置は不変である。一方、ワイヤ２９２の他端は、ワイヤ固定部２８３を介して、図２９に示したワイヤ回転体２８６に固定されている。ワイヤ回転体２８６の回転に伴い、ワイヤ固定部２８３の位置は、溝２８５に沿って移動する。ここでは、図２９に示した駆動モータ２８９の駆動力で、ワイヤ回転体２８６が反時計周りに向かって回転すると、ワイヤ固定部２８３も反時計周りに溝２８５の内部で移動する。これに伴い、ワイヤ２９２は反円周方向に沿って繰り出されるので、円環状を呈するワイヤ２９２は拡径される。また、上記したように、各々の回動遮蔽壁２９１のワイヤ挿通部２９５にワイヤ２９２は挿通されている。よって、各々の回動遮蔽壁２９１は、同時に周囲に向かって倒れるように回動して横臥状態となる。係る状態となることで、送風機２９４が回転することで送風される冷気は、例えば、図２７（Ｂ）に示す冷蔵室供給風路５１、上段冷凍室供給風路５２および下段冷凍室供給風路５３を経由して、図２に示す冷蔵室１５、冷凍室１７および野菜室２０に供給される。
【０１８１】
図３０（Ｂ）を参照して、回動遮蔽壁２９１を閉状態にする方法を説明する。先ず、図２９に示した駆動モータ２８９の駆動力によりワイヤ回転体２８６を逆方向、即ち時計回りに回転させる。そうすると、ワイヤ回転体２８６とワイヤ２９２との接続点であるワイヤ固定部２８３も、溝２８５の内部で時計回りに移動する。これにより、円環状のワイヤ２９２は縮径され、各々の回動遮蔽壁２９１は、同時に遮蔽装置２９０の主面に対して起立するように回動する。この結果、各々の回動遮蔽壁２９１は、送風機２９４を周囲から取り囲むように起立する閉状態となる。遮蔽装置２９０が閉状態となると、図２に示した各貯蔵室には送風されない。
【０１８２】
上記した遮蔽装置２９０では、一本の環状のワイヤ２９２を拡径することで回動遮蔽壁２９１を開状態にすることができ、縮径することで回動遮蔽壁２９１を閉状態にすることができる。よって、簡素な構成で遮蔽装置２９０の開閉動作を実行することができる。また、遮蔽装置２９０は送風機２９４の直径方向に向かって開閉動作し、送風機２９４の軸方向、即ち冷蔵庫１０の奥行方向に沿って構成部材が移動しない。よって、冷蔵庫１０の奥行方向において、遮蔽装置２９０が占有する容積を小さくし、貯蔵室として用いられる有効容積を大きくすることができる。
【０１８３】
ここで、上記した遮蔽装置２９０を、半開状態にすることもできる。具体的には、ここでは図示しない制御装置の指示に基づいて、図２８（Ａ）に示す全閉状態から、図２８（Ｂ）に示す全開状態に遷移する際に、ステッピングモータである駆動モータ２８９を途中で停止させることで、回動遮蔽壁２９１を半開状態にすることができる。回動遮蔽壁２９１を半開状態にすることで、冷凍室１７に送風される冷気の風量を精密に調整することができる。
【０１８４】
また、図２を参照して、冷蔵室供給風路２９にダンパ２２を介装し、更に、図２８（Ａ）に示す上端部分の回動遮蔽壁２９１を省くことができる。更に、回動遮蔽壁２９１は、全閉状態、全開状態および半開状態をとることができる。このようにすることで、冷蔵室１５および冷凍室１７への送風の自由度を自在に調整することができる。
【０１８５】
上記した第２形態から、以下のような発明を把握することができる。
【０１８６】
本発明は、冷蔵庫の内部で冷気が送風される風路を塞ぐ遮蔽装置であって、送風機を半径方向外側から囲むように並設され、回動することで前記風路を開閉する複数の回動遮蔽壁と、前記回動遮蔽壁を駆動する遮蔽壁駆動機構と、を具備し、前記遮蔽壁駆動機構は、駆動源と、前記駆動源の動力を前記回動遮蔽壁に伝達する動力伝達機構と、を有することを特徴とする。これにより、本発明の遮蔽装置によれば、送風機を周囲から囲む回動遮蔽壁により風路を開閉することで、遮蔽装置全体の厚み方向に於ける寸法を小さくでき、装置全体の小型化を実現できる。また、駆動源から動力伝達機構を用いて回動遮蔽壁に動力を伝達することで、回動遮蔽壁の開閉動作を良好に行うことができる。
【０１８７】
更に、本発明の遮蔽装置では、前記動力伝達機構は、隣り合う前記回動遮蔽壁間に配設されるギア機構であることを特徴とする。これにより、本発明の遮蔽装置によれば、ギア機構で動力を回動遮蔽壁に伝達することで、動力伝達機構で複数の回動遮蔽壁の開閉動作を司ることができる。
【０１８８】
更に、本発明の遮蔽装置では、前記回動遮蔽壁は、前記送風機を囲むように略円環状に配置され、前記動力伝達機構は、前記回動遮蔽壁に挿通されたワイヤであり、前記ワイヤは、前記回動遮蔽壁に形成されたワイヤ挿通部に挿通されることを特徴とする。これにより、本発明の遮蔽装置によれば、ワイヤの直径を絞るように短くすることで回動遮蔽壁を起立状態にすることができ、逆にワイヤの直径が長くなるように繰り出すことで、回動遮蔽壁を横臥状態にすることができる。
【０１８９】
また、本発明の冷蔵庫では、貯蔵室に前記風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する前記送風機と、前記風路を少なくとも部分的に塞ぐ前記遮蔽装置と、を具備することを特徴とする。これにより、本発明の冷蔵庫によれば、遮蔽装置全体の厚み方向に於ける寸法を小さくでき、各貯蔵室の有効容積を大きくすることができる。
【０１９０】
［第３実施形態］
図３１から図３９を参照して、第３実施形態に係る遮蔽装置３７０を説明する。第３実施形態に係る遮蔽装置３７０の基本構成および冷蔵庫１０への適用構成は第１実施形態と同様であるので、相違点を中心に説明する。本形態では、遮蔽装置３７０が個別の開閉駆動機構を有している。
【０１９１】
図３１を参照して、遮蔽装置３７０の構成を説明する。図３１（Ａ）は遮蔽装置３７０の分解斜視図であり、図３１（Ｂ）は遮蔽装置３７０の側方断面図である。
【０１９２】
図３１（Ａ）および図３１（Ｂ）を参照して、遮蔽装置３７０は、支持基体３６３と、回動遮蔽壁３７１と、遮蔽壁駆動機構３６０と、を具備している。遮蔽装置３７０は送風機４７で送風された冷気の風路を遮蔽する装置である。遮蔽装置３７０を開状態とすることで冷却室２６と各貯蔵室とをつなぐ風路を連通させ、遮蔽装置３７０を閉状態とすることで風路を遮断する。
【０１９３】
送風機４７は、ビスなどの締結手段を介して、支持基体３６３の中心部に配設されている。送風機４７は、ここでは図示しないが、例えば、ターボファンなどの遠心ファンと、この遠心ファンを回転させる送風モータとを具備しており、半径方向外側に向かって冷気を送風する。
【０１９４】
支持基体３６３は、一体成型された合成樹脂から成る部材である。支持基体３６３の後面側には、各々の回動遮蔽壁３７１が回動可能に配設されている。
【０１９５】
支持基体３６３の周辺部には、側壁部３５８が形成されている。側壁部３５８は、支持基体３６３から後方に向かって伸びる部位である。側壁部３５８は、支持基体３６３の周方向に関して略等間隔に複数配置されている。側壁部３５８は、回動遮蔽壁３７１同士の間に配置されている。側壁部３５８の後端は、ビス等の締結手段を介して、図４（Ｂ）に示した仕切体６６に締結されている。
【０１９６】
回動遮蔽壁３７１は、矩形状の合成樹脂からなる板状部材であり、送風機４７の外縁の接線に沿う長辺を有している。回動遮蔽壁３７１は、支持基体３６３の周縁部付近に、支持基体３６３の主面に平行な軸線回りに、後方に向かって回動可能に取り付けられている。更に、回動遮蔽壁３７１は、複数（本実施形態では５個）が配設されている。回動遮蔽壁３７１は、送風機４７で送風される冷気が流通する経路に配置され、風路を遮蔽する。
【０１９７】
遮蔽壁駆動機構３６０は、カム３６１と、回転プレート３７３と、回転プレート３７３を回転させる駆動モータ３７４と、を有する。ここでは、個々の回動遮蔽壁３７１に遮蔽壁駆動機構３６０が備えられている。即ち、５個の回動遮蔽壁３７１に対して、５個の遮蔽壁駆動機構３６０が配設されている。係る構成を採用することで、図示しない制御装置の指示に基づいて、各々の遮蔽壁駆動機構３６０が回動遮蔽壁３７１を回動させることで、回動遮蔽壁３７１の回動パターンのバリエーションを制限なく実現することができる。遮蔽壁駆動機構３６０の具体的な形状および機能は、後述する。
【０１９８】
図３２を参照して、上記した回動遮蔽壁３７１を駆動する遮蔽壁駆動機構３６０を説明する。図３２（Ａ）は遮蔽壁駆動機構３６０を示す分解斜視図であり、図３２（Ｂ）はカム３６１を示す斜視図である。
【０１９９】
図３２（Ａ）を参照して、遮蔽壁駆動機構３６０は、カム３６１と、カム３６１の移動軸３７６が係合する回転プレート３７３と、回転プレート３７３を回転させる駆動モータ３７４と、を備えている。
【０２００】
カム３６１は、合成樹脂から成る扁平な直方体形状の部材である。図３２（Ｂ）に示すように、カム３６１の右方端にはピン３５５を挿通可能な孔部が形成される回動連結部３４８が形成されている。カム３６１は、図３１（Ａ）に示した支持基体３６３の前面を凹状に成形したカム収納部に、スライド可能な状態で収納される。
【０２０１】
回転プレート３７３は、略舌片形状を呈する板状の部材であり、左方側の端部は駆動モータ３７４の回転軸に相対回転不能に接続されている。よって、駆動モータ３７４により回転プレート３７３は回転される。また、回転プレート３７３の右方側には、カム３６１の移動軸３７６を移動させるための移動軸スライド溝３８０が形成されている。移動軸スライド溝３８０は弓状に湾曲する形状を呈しており、移動軸スライド溝３８０にはカム３６１の移動軸３７６がスライド可能に係合する。
【０２０２】
回動遮蔽壁３７１には、回動遮蔽壁３７１の基端部から傾斜して突出する回動連結部３６８が形成されている。回動連結部３６８には、ピン３５５を挿通することが可能な孔部が形成されている。回動遮蔽壁３７１の側辺の両端部付近には、回動連結部３６４が形成されている。回動連結部３６４には、ピン３６９を挿通することが可能な孔部が形成されている。
【０２０３】
図３２（Ｂ）に示すように、移動軸３７６は、カム３６１の前面から突出する円柱状の突起体である。移動軸３７６の直径は、回転プレート３７３に形成される移動軸スライド溝３８０の幅よりも若干短い程度である。移動軸３７６は、移動軸スライド溝３８０に、摺動可能に係合する。
【０２０４】
図３２（Ａ）を再び参照して、カム３６１の回動連結部３４８の孔部と、回動遮蔽壁３７１の回動連結部３６８の孔部にピン３５５が挿通されることにより、カム３６１と回動遮蔽壁３７１とはピン３５５周りに回動可能に接続される。また、回動遮蔽壁３７１の回動連結部３６４に挿通されるピン３６９を介して、回動遮蔽壁３７１は、図３１（Ａ）に示した支持基体３６３に回動可能に連結される。
【０２０５】
係る構成により、図３２（Ａ）を参照して、駆動モータ３７４により移動軸スライド溝３８０を回転させることで、回動遮蔽壁３７１の開閉動作を行うことができる。具体的には、駆動モータ３７４が回転プレート３７３を回転させると、移動軸スライド溝３８０に沿って移動軸３７６が左右方向に移動し、即ちカム３６１が左右方向に移動する。カム３６１の移動に伴い、カム３６１と回動可能に連結されている回動遮蔽壁３７１は、回動連結部３６４を回動中心として回動することで開閉する。
【０２０６】
ここで、図４（Ｂ）示したように、遮蔽壁駆動機構３６０を構成する各部材は、冷気が流通する冷凍室供給風路３１に露出しない。従って、冷気が遮蔽壁駆動機構３６０に吹き付けられないので、遮蔽壁駆動機構３６０が凍結することを防止することができる。
【０２０７】
図３３は本発明の実施形態に係る遮蔽装置３７０を示す図であり、図３３（Ａ）は遮蔽装置３７０の回動遮蔽壁３７１１等を後方から見て示す図であり、図３３（Ｂ）は回転プレートの構成を前方から見て示す図である。
【０２０８】
図３３（Ａ）を参照して、遮蔽装置３７０は、上記した回動遮蔽壁３７１として、回動遮蔽壁３７１１，３７１２，３７１３，３７１４，３７１５を有している。回動遮蔽壁３７１１ないし回動遮蔽壁３７１５は、図３１（Ａ）に示した送風機４７の外縁の接線に対して略平行な長辺を有する長方形形状を呈している。また、回動遮蔽壁３７１１ないし回動遮蔽壁３７１５は、図３１（Ａ）に示した支持基体３６３の周縁部に回動可能に取り付けられている。
【０２０９】
回動遮蔽壁３７１１の半径方向内側端部は、移動軸３７６１が形成されたカム３６１１に回動可能に接続されている。同様に、回動遮蔽壁３７１２の半径方向内側端部は、移動軸３７６２が形成されたカム３６１２に回動可能に接続されている。回動遮蔽壁３７１３の半径方向内側端部は、移動軸３７６３が形成されたカム３６１３に回動可能に連結されている。また、回動遮蔽壁３７１４の半径方向内側端部は、移動軸３７６４が形成されたカム３６１４に回動可能に連結されている。回動遮蔽壁３７１５の半径方向内側端部は、移動軸３７６５が形成されたカム３６１５に回動可能に連結されている。
【０２１０】
カム３６１１ないしカム３６１５は、夫々、回動遮蔽壁３７１１ないし回動遮蔽壁３７１５の内側側辺に回動可能に連結されている。これにより、カム３６１１ないしカム３６１５が外側に配置されることで、回動遮蔽壁３７１１ないし回動遮蔽壁３７１５は起立状態となる。一方、カム３６１２ないしカム３６１５が内側に配置されることで、回動遮蔽壁３７１２ないし回動遮蔽壁３７１５は横臥状態となる。
【０２１１】
図３３（Ｂ）を参照して、回転プレート３７３１の移動軸スライド溝３８０１に、カム３６１１の移動軸３７６１がスライド可能に係合している。回転プレート３７３２の移動軸スライド溝３８０２に、カム３６１２の移動軸３７６２がスライド可能に係合している。回転プレート３７３３の移動軸スライド溝３８０３に、カム３６１３の移動軸３７６３がスライド可能に係合している。回転プレート３７３４の移動軸スライド溝３８０４に、カム３６１４の移動軸３７６４がスライド可能に係合している。回転プレート３７３５の移動軸スライド溝３８０５に、カム３６１５の移動軸３７６５がスライド可能に係合している。係る構成により、回転プレート３７３１ないし回転プレート３７３５を回転させることで、カム３６１１ないしカム３６１５を所定方向にスライドさせ、回動遮蔽壁３７１１ないし回動遮蔽壁３７１５を開閉することが出来る。
【０２１２】
図３４に全閉状態における遮蔽装置３７０の構成を示す。図３４（Ａ）は全閉状態の遮蔽装置３７０を後方から見た図であり、図３４（Ｂ）は図３４（Ａ）の切断面線Ｄ−Ｄに於ける断面図であり、図３４（Ｃ）は全閉状態における回転プレート３７３等を前方から見た図であり、図３４（Ｄ）は図３４（Ｂ）の要所拡大図である。ここで、全閉状態とは、送風機４７の周囲を回動遮蔽壁３７１で遮蔽し、これにより図４に示した送風口２７を閉鎖する状態である。また、この全閉状態では、送風機４７は回転しない。
【０２１３】
図３４（Ａ）を参照して、遮蔽装置３７０は、全閉状態では送風機４７から外部への空気の流出を防止する。即ち、全閉状態では、全ての回動遮蔽壁３７１が起立状態であり、冷気を供給する風路との連通は遮断され、冷蔵室１５および冷凍室１７には冷気が供給されない。また、図２に示した冷却器４５を除霜する除霜行程でも、遮蔽装置３７０が全閉状態となることで、暖気が冷却室２６から冷蔵室１５および冷凍室１７に流入しない。
【０２１４】
図３４（Ｂ）を参照して、全閉状態では、回動遮蔽壁３７１は、支持基体３６３の主面に対して略垂直に起立する閉状態となっている。ここでは、遮蔽装置３７０が有する全ての回動遮蔽壁３７１が閉状態となる。この状態では、回動遮蔽壁３７１の後方端部は、図４に示す仕切体６６に当接しているか、仕切体６６の直近に配置されている。このようにすることで、回動遮蔽壁３７１で風路を閉鎖する際の気密性を向上することができる。
【０２１５】
図３４（Ｃ）を参照して、遮蔽装置３７０を全閉状態とする際には、先ず、駆動モータ３７４を駆動することで回転プレート３７３を回転させる。ここでは、回転プレート３７３を反時計回りに回転させることで、移動軸３７６を移動軸スライド溝３８０の内で摺動させ、移動軸スライド溝３８０の外側端部に移動軸３７６を配置する。この結果、図３４（Ｄ）に示すように、カム３６１は、半径方向外側に向かって移動する。そして、カム３６１と回転可能に連結されている回動遮蔽壁３７１は、回動連結部３６８近傍を回動中心として回動し、支持基体３６３の主面に対して略直角に起立する閉状態となる。
【０２１６】
図３５に全開状態における遮蔽装置３７０の構成を示す。図３５（Ａ）は全開状態の遮蔽装置３７０を後方から見た図であり、図３５（Ｂ）は図３５（Ａ）の切断面線Ｅ−Ｅに於ける断面図であり、図３５（Ｃ）は全開状態における回転プレート３７３等を前方から見た図であり、図３５（Ｄ）は図３５（Ｂ）の要所拡大図である。ここで、全開状態とは、送風機４７の周囲を回動遮蔽壁３７１で冷気を供給する風路との連通を遮蔽せず、これにより送風機４７で送風される冷気が周囲に広がる状態である。
【０２１７】
図３５（Ａ）を参照して、遮蔽装置３７０は、全開状態では送風機４７から外部への空気の流れを妨げない。即ち、全開状態では、遮蔽装置３７０が送風機４７から送風される冷気は、回動遮蔽壁３７１に干渉されることなく、冷蔵室１５および冷凍室１７に送風される。図３５（Ａ）に示すように、全開状態では、全ての回動遮蔽壁３７１は半径方向外側に向かって倒れた横臥状態となっている。
【０２１８】
図３５（Ｂ）を参照して、全開状態では、全ての回動遮蔽壁３７１は、支持基体３６３の主面に対して略平行な横臥状態となっている。遮蔽装置３７０が有する全ての回動遮蔽壁３７１が開状態となることで、送風機４７から送風される風路に回動遮蔽壁３７１が存在せず、風路の流路抵抗を小さくし、送風機４７の送風量を増大することができる。
【０２１９】
図３５（Ｃ）を参照して、遮蔽装置３７０を全開状態とする際には、駆動モータ３７４を駆動することで回転プレート３７３を時計回りに回転させ、移動軸３７６を移動軸スライド溝３８０の内部で摺動させる。これにより、移動軸３７６が移動軸スライド溝３８０の内側端部に移動する。そのようになると、図３５（Ｄ）に示すとおり、カム３６１が、半径方向内側に向かって移動する。その結果、カム３６１の端部に回動可能に接続されている回動遮蔽壁３７１は、回動連結部３６８の近傍を回転中心として回動して倒れ、回動遮蔽壁３７１の主面が、支持基体３６３の主面に対して略平行な状態となる。
【０２２０】
上記のように、本実施形態に係る遮蔽装置３７０は、駆動モータ３７４１ないし駆動モータ３７４５により、回転プレート３７３１ないし回転プレート３７３５を個別に回転させることで、図１０（Ａ）に示した回動遮蔽壁３７１１ないし回動遮蔽壁３７１５を個別に回動させて開閉することが出来る。よって、回動遮蔽壁３７１１ないし回動遮蔽壁３７１５の回動動作を自由に制御できることから、図３に示す冷蔵室１５、冷凍室１７および野菜室２０の庫内温度等に応じて、冷気の送風量を精密に制御することができる。
【０２２１】
更に、図３を参照して、遮蔽装置３７０が占有する容積を小さくすることができるので、遮蔽装置３７０の前方に形成される冷凍室１７の庫内容積を大きくし、より多くの被冷凍物を冷凍室１７に貯蔵することができる。
【０２２２】
図３６から図３８を参照して、他の形態に係る遮蔽装置３７０を説明する。これらの図を参照して説明する遮蔽装置３７０の構成は、遮蔽壁駆動機構３６０の駆動源としてソレノイド３８１を備えている点が異なるので、この点を中心に説明する。
【０２２３】
図３６を参照して、他の形態に係る遮蔽装置３７０の構成を説明する。図３６（Ａ）は遮蔽装置３７０の分解斜視図であり、図３６（Ｂ）は遮蔽壁駆動機構３６０を示す断面図である。
【０２２４】
図３６（Ａ）を参照して、遮蔽装置３７０は、後方側から、送風機４７、回動遮蔽壁３７１、支持基体３６３、遮蔽壁駆動機構３６０を有している。ここでは、遮蔽壁駆動機構３６０は、各回動遮蔽壁３７１に対応して配置されている。遮蔽壁駆動機構３６０の構成以外は、図３１に示した遮蔽装置３７０と同様である。
【０２２５】
図３６（Ｂ）を参照して、遮蔽壁駆動機構３６０は、当接部３８２が形成されたカム３６１と、ソレノイド３８１と、を有している。
【０２２６】
カム３６１は、一体成型された合成樹脂等からなり、カム３６１の上端は、回動遮蔽壁３７１と回動可能に連結されている。また、カム３６１の下方部分には前方に向かって突出する当接部３８２が形成されている。カム３６１と回動遮蔽壁３７１とが回動可能に連結される構成は、図３２（Ａ）に示した通りである。
【０２２７】
ソレノイド３８１の下端から下方に向かって可動部３８７が形成されている。ソレノイド３８１の可動部３８７の下端は、カム３６１の当接部３８２に接続されている。ソレノイド３８１か通電されると可動部３８７は上方に配置され、ソレノイド３８１が通電されないと可動部３８７は下方に配置される。
【０２２８】
係る構成の遮蔽壁駆動機構３６０により、ソレノイド３８１の通電または非通電を制御することで、カム３６１を移動させて回動遮蔽壁３７１を回動させ、回動遮蔽壁３７１を開閉することが出来る。
【０２２９】
図３７に全閉状態における遮蔽装置３７０の構成を示す。図３７（Ａ）は全閉状態の遮蔽装置３７０を後方から見た図であり、図３７（Ｂ）は図３７（Ａ）の切断面線Ｆ−Ｆに於ける断面図であり、図３７（Ｃ）は全閉状態におけるソレノイド３８１等を前方から見た図であり、図３７（Ｄ）は図３７（Ｂ）の要所拡大図である。
【０２３０】
図３７（Ａ）および図３７（Ｂ）を参照して、遮蔽装置３７０は、全閉状態では送風機４７から外部への空気の流出を防止する。この全閉状態では、回動遮蔽壁３７１は、支持基体３６３の主面に対して略垂直に起立する閉状態となっている。ここでは、遮蔽装置３７０が有する全ての回動遮蔽壁３７１が閉状態となる。
【０２３１】
図３７（Ｃ）を参照して、遮蔽装置３７０を全閉状態とする際には、先ず、ソレノイド３８１を駆動することで、可動部３８７を半径方向外側に移動させる。この結果、図３７（Ｄ）に示すように、当接部３８２を介してソレノイド３８１の可動部３８７と連結されているカム３６１は、半径方向外側に向かって移動する。紙面上に於いては、カム３６１は上方に向かって移動する。そして、カム３６１と回転可能に連結されている回動遮蔽壁３７１は、回動連結部３６８近傍を回動中心として回動し、支持基体３６３の主面に対して略直角に起立する閉状態となる。
【０２３２】
図３８に全開状態における遮蔽装置３７０の構成を示す。図３８（Ａ）は全開状態の遮蔽装置３７０を後方から見た図であり、図３８（Ｂ）は図３８（Ａ）の切断面線Ｇ−Ｇに於ける断面図であり、図３８（Ｃ）は全開状態におけるソレノイド３８１等を前方から見た図であり、図３８（Ｄ）は図３８（Ｂ）の要所拡大図である。
【０２３３】
図３８（Ａ）および図３８（Ｂ）を参照して、遮蔽装置３７０は、全開状態では送風機４７から外部への空気の流れを妨げない。また、全開状態では、全ての回動遮蔽壁３７１は、支持基体３６３の主面に対して略平行な横臥状態となっている。
【０２３４】
図３８（Ｃ）を参照して、遮蔽装置３７０を全開状態とする際には、ソレノイド３８１を駆動して可動部３８７を突出させる。これにより、図３８（Ｄ）に示すとおり、可動部３８７が当接部３８２を押圧し、カム３６１が半径方向内側に向かって移動する。その結果、カム３６１の端部に回動可能に接続されている回動遮蔽壁３７１は、回動連結部３６８の近傍を回転中心として回動して倒れ、回動遮蔽壁３７１の主面が、支持基体３６３の主面に対して略平行な状態となる。
【０２３５】
上記のように、遮蔽壁駆動機構３６０の駆動源としてソレノイド３８１を有している場合であっても、遮蔽壁駆動機構３６０の駆動源として駆動モータ３７４を有している場合と同等の効果を奏することができる。即ち、各回動遮蔽壁３７１を個別に開閉制御することができ、風路の開閉制御の自由度を高め、貯蔵庫の庫内温度を精度良く調整することができる。
【０２３６】
図３９を参照して、更なる他の形態に係る遮蔽装置３７０の構成を説明する。上記した遮蔽装置３７０では、例えば図３１（Ａ）に示したように、各々の回動遮蔽壁３７１に対して遮蔽壁駆動機構３６０が配設されていた。一方、図３９に示す遮蔽装置３７０では、回動遮蔽壁３７１１ないし回動遮蔽壁３７１４の開閉動作を、遮蔽壁駆動機構３６０１および遮蔽壁駆動機構３６０２で駆動している。即ち、４個の回動遮蔽壁３７１１ないし回動遮蔽壁３７１４の開閉動作を、２個の遮蔽壁駆動機構３６０１および遮蔽壁駆動機構３６０２で駆動している。ここで、回動遮蔽壁３７１１ないし回動遮蔽壁３７１４の内側側辺は、図３８（Ａ）等に示した支持基体３６３に対して回動可能に取り付けられている。
【０２３７】
遮蔽壁駆動機構３６０１は、巻回部３８５１と、駆動モータ３７４１と、ワイヤ３８６１およびワイヤ３８６２を有する。駆動モータ３７４１は、略棒状の巻回部３８５１を、正転方向または逆転方向に回転させる。ワイヤ３８６１の一端は回動遮蔽壁３７１１に接続され、他端は巻回部３８５１に接続されている。ワイヤ３８６２の一端は回動遮蔽壁３７１２に接続され、他端は巻回部３８５１に接続されている。遮蔽壁駆動機構３６０１は、回動遮蔽壁３７１１および回動遮蔽壁３７１２の開閉動作を駆動している。
【０２３８】
係る構成により、駆動モータ３７４１を正転方向に回転させることにより、巻回部３８５１が回転することでワイヤ３８６１およびワイヤ３８６２が巻回され、回動遮蔽壁３７１１および回動遮蔽壁３７１２が横臥状態から起立状態になり、上記した風路を塞ぐ閉状態になる。一方、駆動モータ３７４１を逆転方向に回転させることにより、巻回部３８５１が回転することでワイヤ３８６１およびワイヤ３８６２が繰り出され、回動遮蔽壁３７１１および回動遮蔽壁３７１２が起立状態から横臥状態になり、上記した風路を解放する開状態になる。
【０２３９】
遮蔽壁駆動機構３６０２は、巻回部３８５２と、駆動モータ３７４２と、ワイヤ３８６３およびワイヤ３８６４を有する。駆動モータ３７４２は、略棒状の巻回部３８５２を、正転方向または逆転方向に回転させる。ワイヤ３８６３の一端は回動遮蔽壁３７１３に接続され、他端は巻回部３８５２に接続される。ワイヤ３８６４の一端は回動遮蔽壁３７１４に接続され、他端は巻回部３８５２に接続される。遮蔽壁駆動機構３６０２は、回動遮蔽壁３７１３および回動遮蔽壁３７１４の開閉動作を駆動している。
【０２４０】
係る構成により、駆動モータ３７４２を正転方向に回転させることにより、巻回部３８５２が回転することでワイヤ３８６３およびワイヤ３８６４が巻回され、回動遮蔽壁３７１３および回動遮蔽壁３７１４が横臥状態から起立状態になり、上記した風路を塞ぐ閉状態になる。一方、駆動モータ３７４２を逆転方向に回転させることにより、巻回部３８５２が回転することでワイヤ３８６３およびワイヤ３８６４が繰り出され、回動遮蔽壁３７１３および回動遮蔽壁３７１４が起立状態から横臥状態になり、上記した風路を解放する開状態になる。
【０２４１】
上記のように、遮蔽壁駆動機構３６０１および遮蔽壁駆動機構３６０２により、回動遮蔽壁３７１１ないし回動遮蔽壁３７１４の開閉動作を個別に駆動することで、回動遮蔽壁３７１１ないし回動遮蔽壁３７１４の開閉動作の自由度を確保しつつ、遮蔽装置３７０の構成を簡素化することかできる。
【０２４２】
本発明は、上記実施形態に限定されるものではなく、その他、本発明の要旨を逸脱しない範囲で、種々の変更実施が可能である。
【０２４３】
例えは、図３２（Ａ）を参照して、移動軸スライド溝３８０の中間部に移動軸３７６を配置することで、回動遮蔽壁３７１を半開状態とすることができる。このようにすることで、貯蔵室に送風される冷気の風量を細かく制御することができる。
【０２４４】
上記した第３形態から、以下の発明を把握することができる。
【０２４５】
本発明は、冷蔵庫の内部で冷気が送風される風路を塞ぐ遮蔽装置であって、送風機を半径方向外側から囲む複数の回動遮蔽壁と、前記回動遮蔽壁を駆動する遮蔽壁駆動機構と、を具備し、前記遮蔽壁駆動機構は、複数設けられることを特徴とする。これにより、本発明の遮蔽装置によれば、複数の遮蔽壁駆動機構を有することで、回動遮蔽壁を個別に動作させることができ、回動遮蔽壁全体としての開閉動作の自由度を向上することができる。
【０２４６】
また、本発明の遮蔽装置では、前記遮蔽壁駆動機構は、各々の前記回動遮蔽壁毎に配設されることを特徴とする。これにより、本発明の遮蔽装置によれば、遮蔽壁駆動機構が各々の回動遮蔽壁に対応して配設されることで、回動遮蔽壁を個別に回動させることができ、回動遮蔽壁の開閉動作の自由度を更に高くすることができる。
【０２４７】
また、本発明の遮蔽装置では、前記遮蔽壁駆動機構は、前記回動遮蔽壁と回動可能に接続されたカムと、前記カムをスライド移動させる溝が形成されて回転する回転プレートと、前記回転プレートを回転させる駆動モータと、を有することを特徴とする。これにより、本発明の遮蔽装置によれば、駆動モータを含む簡素な構成で回動遮蔽壁を開閉することが出来る。
【０２４８】
また、本発明の遮蔽装置では、前記遮蔽壁駆動機構は、前記回動遮蔽壁と回動可能に接続されたカムと、前記カムを移動させるソレノイドと、を有することを特徴とする。これにより、本発明の遮蔽装置によれば、ソレノイドを含む簡素な構成で回動遮蔽壁を開閉することが出来る。
【０２４９】
本発明の冷蔵庫は、貯蔵室に前記風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する前記送風機と、前記風路を少なくとも部分的に塞ぐ前記遮蔽装置と、を具備することを特徴とする。これにより、本発明の冷蔵庫によれば、遮蔽装置の回動遮蔽壁が複数の遮蔽壁駆動機構で駆動されるので、貯蔵室に対する冷気の供給を細かく設定し、貯蔵室の庫内温度を精度良く制御することができる。
【０２５０】
［第４実施形態］
図４０から図４４を参照して、第４実施形態に係る遮蔽装置４７０を説明する。第４実施形態に係る遮蔽装置４７０の基本構成および冷蔵庫１０への適用構成は第１実施形態と同様であるので、相違点を中心に説明する。本形態では、回動遮蔽壁４７１が半径方向内側に倒れることで、風路を開状態にしている。
【０２５１】
図４０を参照して、遮蔽装置４７０の構成を説明する。図４０（Ａ）は遮蔽装置４７０の分解斜視図であり、図４０（Ｂ）は遮蔽装置４７０の側方断面図である。
【０２５２】
図４０（Ａ）および図４０（Ｂ）を参照して、遮蔽装置４７０は、支持基体４６３と、回動遮蔽壁４７１と、遮蔽壁駆動機構４６０と、を具備している。遮蔽装置４７０は送風機４７で送風された冷気の風路を遮蔽する装置である。遮蔽装置４７０を開状態とすることで冷却室２６と各貯蔵室とをつなぐ風路を連通させ、遮蔽装置４７０を閉状態とすることで風路を遮断する。
【０２５３】
送風機４７は、ビスなどの締結手段を介して、支持基体４６３の前面中心部に配設されている。送風機４７は、ここでは図示しないが、例えば、ターボファンなどの遠心ファンと、この遠心ファンを回転させる送風モータとを具備しており、半径方向外側に向かって冷気を送風する。
【０２５４】
支持基体４６３は、一体成型された合成樹脂から成る部材である。支持基体４６３の後面側には、各々の回動遮蔽壁４７１が回動可能に配設されている。また、支持基体４６３の前面側には、カム４６１が収納されるカム収納部４６２が形成されている。カム収納部４６２は図４１を参照して後述する。また、支持基体４６３の前面側には、回転プレート４７３が回転可能に取り付けられている。更に、支持基体４６３には、回動遮蔽壁４７１を回動するための駆動力を発生する駆動モータ４７４も取り付けられる。
【０２５５】
支持基体４６３の周辺部には、側壁部４５８が形成されている。側壁部４５８は、支持基体４６３から後方に向かって伸びる部位である。側壁部４５８は、支持基体４６３の周方向に関して略等間隔に複数配置されている。側壁部４５８は、回動遮蔽壁４７１同士の間に配置されている。側壁部４５８の後端は、ビス等の締結手段を介して、図４（Ｂ）に示した仕切体６６に締結されている。
【０２５６】
回動遮蔽壁４７１は、矩形状の合成樹脂からなる板状部材であり、回転プレート４７３の外縁に沿う長辺を有している。回動遮蔽壁４７１は、支持基体４６３の周縁部付近に、支持基体４６３の主面に平行な軸線回りに、後方に向かって回動可能に取り付けられている。更に、回動遮蔽壁４７１は、支持基体４６３の周縁部付近に、複数（本実施形態では５）が配設されている。回動遮蔽壁４７１は、送風機４７で送風される冷気が流通する経路に配置され、風路を遮蔽する。
【０２５７】
回転プレート４７３は、前面視で略円盤形状の鋼板や合成樹脂板から成り、支持基体４６３の前方側に回転自在に配設されている。回転プレート４７３には、回動遮蔽壁４７１を回動させるための移動軸スライド溝４８０が形成されている。回転プレート４７３の周縁部にはトルクを伝達するためのギア部４７７が形成されている。後述するように、駆動モータ４７４を駆動し、ギア部４７７を介してトルクが伝達し、回転プレート４７３を回転させることで、回動遮蔽壁４７１が開閉動作する。
【０２５８】
支持基体４６３の右方部分には、回転プレート４７３を回転駆動する駆動モータ４７４が取り付けられるフランジが形成される。回転プレート４７３のギア部４７７と、駆動モータ４７４との間には、ここでは図示しないギアが配置される。
【０２５９】
図４１を参照して、上記した回動遮蔽壁４７１を駆動する遮蔽壁駆動機構４６０を説明する。図４１（Ａ）は遮蔽装置４７０の左方部分を示す分解斜視図であり、図４１（Ｂ）はカム４６１を示す斜視図である。
【０２６０】
図４１（Ａ）を参照して、遮蔽壁駆動機構４６０は、カム４６１と、カム４６１の移動軸４７６が係合する回転プレート４７３と、回転プレート４７３を回転させる駆動モータ４７４（図４０（Ａ）参照）を備えている。
【０２６１】
カム４６１は、合成樹脂から成る扁平な直方体形状の部材である。図４１（Ｂ）に示すように、カム４６１の一方端にはピン４５５を挿通可能な孔部が形成される回動連結部４４８が形成されている。カム４６１は、支持基体４６３のカム収納部４６２に収納される。
【０２６２】
移動軸４７６は、図４１（Ｂ）に示すように、カム４６１の前面から突出する円柱状の突起体である。移動軸４７６の直径は、回転プレート４７３に形成される移動軸スライド溝４８０の幅よりも若干短い程度である。移動軸４７６は、移動軸スライド溝４８０に、摺動可能に係合する。
【０２６３】
カム収納部４６２は、支持基体４６３に形成された空洞であり、支持基体４６３の半径方向に沿って細長く形成される。カム収納部４６２は、各々の回動遮蔽壁４７１に対応して形成され、支持基体４６３を前面から窪ませて形成されている。カム収納部４６２の大きさは、カム４６１を収容でき、且つ、カム４６１が半径方向に沿ってスライドできる程度である。
【０２６４】
図４１（Ａ）に示すように、回動遮蔽壁４７１には、回動遮蔽壁４７１の基端部から傾斜して突出する回動連結部４６８が形成されている。回動連結部４６８には、ピン４５５を挿通することが可能な孔部が形成されている。また、回動遮蔽壁４７１の側辺の両端部付近には、回動連結部４６４が形成されている。回動連結部４６４には、ピン４６９を挿通することが可能な孔部が形成されている。
【０２６５】
支持基体４６３の周縁部付近には、回動連結部４５４が形成されている。回動連結部４５４は、各々の回動遮蔽壁４７１の回動連結部４６４に対応して設けられている。回動連結部４５４には、ピン４６９を挿通することができる孔部が形成されている。
【０２６６】
カム４６１の回動連結部４４８の孔部と、回動遮蔽壁４７１の回動連結部４６８の孔部にピン４５５が挿通されることにより、カム４６１と回動遮蔽壁４７１とはピン４５５周りに回動可能に接続される。また、支持基体４６３の回動連結部４５４の孔部と、回動遮蔽壁４７１の回動連結部４６４の孔部に、ピン４６９が挿通されることにより、支持基体４６３と回動遮蔽壁４７１とは回動可能に連結される。
【０２６７】
遮蔽壁駆動機構４６０を上記のように構成することにより、駆動モータ４７４を駆動して回転プレート４７３を回転させ、移動軸４７６が移動軸スライド溝４８０内を摺動する。これによってカム４６１はカム収納部４６２内をスライド移動する。カム４６１をスライドさせることで、回動遮蔽壁４７１をピン４５５周りに回動させることが出来る。
【０２６８】
具体的には、カム４６１を支持基体４６３の中心側にスライドさせると、回動遮蔽壁４７１は回動連結部４６４を回動中心として、起立状態となるように回動し、回動遮蔽壁４７１は支持基体４６３の主面に対して直交した状態となる。一方、カム４６１を支持基体４６３の周縁側にスライドさせると、回動遮蔽壁４７１は回動連結部４６４を回動中心として、横臥状態となるように回動し、回動遮蔽壁４７１は支持基体４６３の主面に対して略平行な状態となる。
【０２６９】
したがって、移動軸スライド溝４８０を支持基体４６３の周縁部側に形成すれば、回動遮蔽壁４７１を開状態とすることができる。反対に移動軸スライド溝４８０を支持基体４６３の中心側に形成すれば、回動遮蔽壁４７１を閉状態とすることができる。この原理を利用して、各々の回動遮蔽壁４７１に対応する移動軸スライド溝４８０の形状を選択すれば、各々の回動遮蔽壁４７１の開閉状態を任意に設定することができる。これによって、複雑な構成を採用せずに、回動遮蔽壁４７１を全開状態としたり、全閉状態としたりすることもでき、また一部の回動遮蔽壁４７１が閉状態または開状態である状態とすることもできる。
【０２７０】
ここで、図４１（Ａ）に示したように、遮蔽壁駆動機構４６０を構成する回転プレート４７３およびカム４６１は、支持基体４６３よりも前方側に配置される。よって、図４（Ｂ）を参照して、遮蔽壁駆動機構４６０を構成する各部材は、冷気が流通する冷凍室供給風路３１に露出しない。従って、冷気が遮蔽壁駆動機構４６０に吹き付けられないので、遮蔽壁駆動機構４６０が凍結することを防止することができる。
【０２７１】
図４１（Ａ）を参照して、回動遮蔽壁４７１を閉状態とすると、回動遮蔽壁４７１の長手方向の各端部は側壁部４５８に当接する。このように、回動遮蔽壁４７１の長手方向各端部に側壁部４５８を形成することで、回動遮蔽壁４７１が閉状態にあるときにおける気密性を向上することができるので、冷却時の冷気漏れや除霜時の暖気流入を確実に抑制することができる。
【０２７２】
更に、側壁部４５８同士の間には、枠部４４１が形成されている。枠部４４１の大きさは回動遮蔽壁４７１と同等程度とされている。回動遮蔽壁４７１は、上記した起立状態となったとき、回動遮蔽壁４７１が内側から当接する。係る構成とすることで、回動遮蔽壁４７１の周辺部が枠部４４１に密着し、風路を更に気密性高く閉鎖することができる。
【０２７３】
図４２は本発明の実施形態に係る遮蔽装置４７０を示す図であり、図４２（Ａ）は遮蔽装置の回動遮蔽壁を後方から見て示す図であり、図４２（Ｂ）は回転プレートの構成を後方から見て示す図である。
【０２７４】
図４２（Ａ）を参照して、遮蔽装置４７０は、上記した回動遮蔽壁４７１として、回動遮蔽壁４７１１，４７１２，４７１３，４７１４，４７１５を有している。回動遮蔽壁４７１１ないし回動遮蔽壁４７１５は、回転プレート４７３の接線方向に対して略平行な長辺を有する長方形形状を呈している。また、回動遮蔽壁４７１１ないし回動遮蔽壁４７１５は、図４０（Ａ）に示した支持基体４６３の周縁部に回動可能に取り付けられている。
【０２７５】
回動遮蔽壁４７１１の半径方向内側端部は、移動軸４７６１が形成されたカム４６１１に回動可能に接続されている。同様に、回動遮蔽壁４７１２の半径方向外側端部は、移動軸４７６２が形成されたカム４６１２に回動可能に接続されている。回動遮蔽壁４７１３の半径方向外側端部は、移動軸４７６３が形成されたカム４６１３に回動可能に連結されている。また、回動遮蔽壁４７１４の半径方向外側端部は、移動軸４７６４が形成されたカム４６１４に回動可能に連結されている。回動遮蔽壁４７１５の半径方向外側端部は、移動軸４７６５が形成されたカム４６１５に回動可能に連結されている。
【０２７６】
ここで、カム４６１１は、回動遮蔽壁４７１１の内側辺に回動可能に連結されている。これにより、カム４６１１が外側に配置されることで回動遮蔽壁４７１１が起立状態になり、カム４６１１が内側に配置されることで回動遮蔽壁４７１１が横臥状態になる。
【０２７７】
一方、カム４６１２ないしカム４６１５は、夫々、回動遮蔽壁４７１２ないし回動遮蔽壁４７１５の外側側辺に回動可能に連結されている。これにより、カム４６１２ないしカム４６１５が内側に配置されることで、回動遮蔽壁４７１２ないし回動遮蔽壁４７１５は起立状態となる。一方、カム４６１２ないしカム４６１５が外側に配置されることで、回動遮蔽壁４７１２ないし回動遮蔽壁４７１５は横臥状態となる。
【０２７８】
図４２（Ｂ）を参照して、回転プレート４７３は、略円板状に形成された鋼板であり、上記した回動遮蔽壁４７１１等の開閉動作を司るための移動軸スライド溝４８０が複数形成されている。また、回転プレート４７３の周縁部の一部分にはギア部４７７が形成されており、図４０（Ａ）に示した駆動モータ４７４とギア部４７７とが歯合することで、駆動モータ４７４のトルクで回転プレート４７３が回転する。
【０２７９】
回転プレート４７３には、移動軸スライド溝４８０として、移動軸スライド溝４８０１，４８０２，４８０４，４８０５が形成されている。移動軸スライド溝４８０１ないし移動軸スライド溝４８０５は、回転プレート４７３の円周方向に沿って形成された、溝状部位である。移動軸スライド溝４８０１ないし移動軸スライド溝４８０５は、図４２（Ａ）に示したカム４６１１ないしカム４６１５を、半径方向に沿ってスライドさせるために、所定の曲折形状を呈している。
【０２８０】
移動軸スライド溝４８０１ないし移動軸スライド溝４８０５には、図４２（Ａ）に示した移動軸４７６１ないし移動軸４７６５が係合する。具体的には、移動軸スライド溝４８０１には移動軸４７６１が係合し、移動軸スライド溝４８０２には移動軸４７６２および移動軸４７６３が係合し、移動軸スライド溝４８０４には移動軸４７６４が係合し、移動軸スライド溝４８０５には移動軸４７６５が係合する。
【０２８１】
移動軸スライド溝４８０１は、溝部４８０１１ないし溝部４８０１３から構成されている。溝部４８０１１は円周方向に沿って伸び、溝部４８０１２は反時計回りに於いて半径方向内側に向かって傾斜し、溝部４８０１３は円周方向に沿って伸びる。
【０２８２】
移動軸スライド溝４８０２は、溝部４８０２１ないし溝部４８０２９から構成される。溝部４８０２１は反時計回りに於いて半径方向内側に向かって傾斜し、溝部４８０２２は円周方向に沿って伸び、溝部４８０２３は反時計回りに於いて半径方向外側に向かって傾斜し、溝部４８０２４は円周方向に沿って伸びる。また、溝部４８０２５は反時計回りに於いて半径方向内側に向かって傾斜し、溝部４８０２６は円周方向に沿って伸び、溝部４８０２７は反時計回りに於いて半径方向外側に向かって傾斜する。更に、溝部４８０２８は円周方向に沿って伸び、溝部４８０２９は反時計回りに於いて半径方向内側に向かって傾斜する。
【０２８３】
移動軸スライド溝４８０４は、溝部４８０４１ないし溝部４８０４４から構成される。溝部４８０４１は円周方向に沿って伸び、溝部４８０４２は反時計回りに於いて半径方向外側に向かって傾斜し、溝部４８０４３は円周方向に沿って伸び、溝部４８０４４は反時計回りに於いて半径方向内側に向かって傾斜する。
【０２８４】
移動軸スライド溝４８０５は、溝部４８０５１ないし溝部４８０５６から構成される。溝部４８０５１は反時計回りに於いて半径方向内側に向かって傾斜し、溝部４８０５２は円周方向に沿って伸び、溝部４８０５３は反時計回りに於いて半径方向外側に向かって傾斜し、溝部４８０５４は円周方向に沿って伸びる。溝部４８０５５は反時計回りに於いて半径方向内側に向かって傾斜し、溝部４８０５６は円周方向に沿って伸びる。
【０２８５】
また、回転プレート４７３の内側部分には、円周方向に沿って伸びる回転軸スライド溝４７９が形成されている。ここでは、回転軸スライド溝４７９は、等間隔に３個が形成されている。回転軸スライド溝４７９にスライド可能に係合する回転軸４７５（図４３（Ｃ）参照）を介して、回転プレート４７３は支持基体４６３に保持される。
【０２８６】
図４３に全閉状態における遮蔽装置４７０の構成を示す。図４３（Ａ）は全閉状態の遮蔽装置４７０を後方から見た図であり、図４３（Ｂ）は図４３（Ａ）の切断面線ＨーＨに於ける断面図であり、図４３（Ｃ）は全閉状態における回転プレート４７３等を後方から見た図であり、図４３（Ｄ）は図４３（Ｂ）の要所拡大図である。ここで、全閉状態とは、送風機４７の周囲を回動遮蔽壁４７１で遮蔽し、これにより図４に示した送風口２７を閉鎖する状態である。また、この全閉状態では、送風機４７は回転しない。
【０２８７】
図４３（Ａ）を参照して、遮蔽装置４７０は、全閉状態では送風機４７から外部への空気の流出を防止する。即ち、全閉状態では、全ての回動遮蔽壁４７１、即ち、回動遮蔽壁４７１１ないし回動遮蔽壁４７１５が起立状態であり、冷気を供給する風路との連通は遮断され、冷蔵室１５および冷凍室１７には冷気が供給されない。また、図２に示した冷却器４５を除霜する除霜行程でも、遮蔽装置４７０が全閉状態となることで、暖気が冷却室２６から冷蔵室１５および冷凍室１７に流入しない。
【０２８８】
図４３（Ｂ）を参照して、全閉状態では、回動遮蔽壁４７１５および回動遮蔽壁４７１２は、支持基体４６３の主面に対して略垂直に起立する閉状態となっている。また、この状態では、回動遮蔽壁４７１５および回動遮蔽壁４７１２の後方端部は、図４に示す仕切体６６に当接しているか、仕切体６６の直近に配置されている。このようにすることで、回動遮蔽壁４７１で風路を閉鎖する際の気密性を向上することができる。
【０２８９】
図４３（Ｃ）を参照して、遮蔽装置４７０を全閉状態とする際には、先ず、駆動モータ４７４を駆動することでギア４３０を介して回転プレート４７３を回転させる。ここでは、回転プレート４７３を回転させることで、移動軸スライド溝４８０１の半径方向外側部分に移動軸４７６１を配置する。また、移動軸スライド溝４８０２の半径方向内側部分に移動軸４７６２および移動軸４７６３を配置する。また、移動軸スライド溝４８０４の半径方向内側部分に移動軸４７６４を配置し、移動軸スライド溝４８０５の半径方向内側部分に移動軸４７６５を配置する。
【０２９０】
この結果、図４３（Ｄ）に示すように、移動軸４７６５が半径方向内側部分に配置されることで、カム４６１５は、半径方向内側に向かって移動する。そして、カム４６１５と回転可能に連結されている回動遮蔽壁４７１５は、回動連結部４６８近傍を回動中心として半径方向外側に向かって回動し、支持基体４６３の主面に対して略直角に起立する閉状態となる。
【０２９１】
図４４に全開状態における遮蔽装置４７０の構成を示す。図４４（Ａ）は全開状態の遮蔽装置４７０を後方から見た図であり、図４４（Ｂ）は図４４（Ａ）の切断面線ＩーＩに於ける断面図であり、図４４（Ｃ）は全開状態における回転プレート４７３等を後方から見た図であり、図４４（Ｄ）は図４４（Ｂ）の要所拡大図である。ここで、全開状態とは、送風機４７の周囲を回動遮蔽壁４７１で冷気を供給する風路との連通を遮蔽せず、これにより送風機４７で送風される冷気が周囲に広がる状態である。
【０２９２】
図４４（Ａ）を参照して、遮蔽装置４７０は、全開状態では送風機４７から外部への空気の流れを妨げない。即ち、全開状態では、遮蔽装置４７０が送風機４７から送風される冷気は、回動遮蔽壁４７１、即ち回動遮蔽壁４７１１ないし回動遮蔽壁４７１５に干渉されることなく、冷蔵室１５および冷凍室１７に送風される。図４４（Ａ）に示すように、全開状態では、回動遮蔽壁４７１１は半径方向外側に向かって倒れた横臥状態となっており、回動遮蔽壁４７１２ないし回動遮蔽壁４７１５は半径方向内側に向かって倒れた横臥状態となっている。
【０２９３】
図４４（Ｂ）を参照して、全開状態では、回動遮蔽壁４７１５および回動遮蔽壁４７１２は、支持基体４６３の主面に対して略平行な横臥状態となっている。遮蔽装置４７０が有する全ての回動遮蔽壁４７１が開状態となることで、送風機４７から送風される風路に回動遮蔽壁４７１が存在せず、風路の流路抵抗を小さくし、送風機４７の送風量を増大することができる。
【０２９４】
図４４（Ｃ）を参照して、遮蔽装置４７０を全開状態とする際には、駆動モータ４７４を駆動することでギア４３０を介して回転プレート４７３を回転させ、各々の移動軸４７６を移動軸スライド溝４８０内で摺動させる。具体的には、移動軸スライド溝４８０１の半径方向内側部分に移動軸４７６１を配置する。また、移動軸スライド溝４８０２の半径方向外側部分に、移動軸４７６２および移動軸４７６３を配置する。また、移動軸スライド溝４８０４の半径方向外側部分に移動軸４７６４を配置し、移動軸スライド溝４８０５の半径方向外側部分に移動軸４７６５を配置する。この結果、図４４（Ｄ）に示すように、移動軸４７６５が半径方向外側部分に配置されることで、カム４６１５は半径方向外側に向かって移動する。カム４６１５の上端部分に対して回動可能に接続されている回動遮蔽壁４７１５は、回動連結部４６８の近傍を回転中心として、半径方向内側に向かって回動して倒れ、回動遮蔽壁４７１５の主面が、カム収納部４６２の主面に対して略平行な状態となる。
【０２９５】
上記のように、本実施形態に係る遮蔽装置４７０は、図４０に示した回転プレート４７３を回転させることで、各々の回動遮蔽壁４７１１〜４７１５の開閉状態を切換えることができる。よって、送風機４７の軸方向、即ち冷蔵庫１０の奥行方向に沿って部材が変位することがない。従って、遮蔽装置４７０が占有する厚み寸法を小さくすることができる。更に、図３を参照して、遮蔽装置４７０が占有する容積を小さくすることができるので、遮蔽装置４７０の前方に形成される冷凍室１７の庫内容積を大きくし、より多くの被冷凍物を冷凍室１７に貯蔵することができる。
【０２９６】
本実施形態により、以下の発明を把握することができる。
【０２９７】
本発明は、冷蔵庫の内部で冷気が送風される風路を塞ぐ遮蔽装置であって、送風機を半径方向外側から囲む回動遮蔽壁と、前記回動遮蔽壁を駆動する遮蔽壁駆動機構と、を有し、前記回動遮蔽壁は、半径方向内側に向かって倒れるように回動することで前記風路を解放し、半径方向外側に向かって起立するように回動することで前記風路を塞ぐことを特徴とする。これにより、本発明の遮蔽装置によれば、回動遮蔽壁が半径方向外側に向かって回動することにより風路を遮蔽することで、遮蔽時に回動遮蔽壁が回動する方向と、送風機が送風する方向とが略一致しているので、遮蔽時に於ける気密性を向上することができる。
【０２９８】
また、本発明の遮蔽装置では、前記遮蔽壁駆動機構は、移動軸スライド溝が形成される円盤状の回転プレートと、前記移動軸スライド溝に係合する移動軸が形成され、前記回動遮蔽壁に回転可能に連結されたカムと、前記回転プレートを回転させる駆動モータと、を有し、前記回転プレートが回転することで、前記移動軸が前記移動軸スライド溝をスライドすることにより、前記カムが半径方向内側に移動したら、前記回動遮蔽壁は前記風路を塞ぎ、前記回転プレートが回転することで、前記移動軸が前記移動軸スライド溝をスライドすることにより、前記カムが半径方向外側に移動したら、前記回動遮蔽壁は前記風路を解放することを特徴とする。これにより、本発明の遮蔽装置によれば、回転プレートの回転動作で容易に回動遮蔽壁の開閉動作を駆動することができるので、遮蔽装置を構成する部材が奥行方向に移動する従来の遮蔽装置と比較して、遮蔽装置が占有する容積を小さくすることができ、庫内容積を圧迫することがない。
【０２９９】
また、本発明の遮蔽装置では、前記回動遮蔽壁が回動可能に取り付けられ、カム収納部が形成される支持基体を更に有し、前記カムは、前記カム収納部に、半径方向に沿ってスライド可能な状態で収納されることを特徴とする。これにより、本発明の遮蔽装置によれば、支持基体のカム収納部の内部で、カムの移動方向を半径方向に規制することで、カムのスライド動作で回動遮蔽壁の開閉を好適に駆動することができる。
【０３００】
また、本発明の遮蔽装置では、前記送風機と前記回動遮蔽壁との間には、前記回動遮蔽壁が半径方向内側に向かって倒れることを許容する空間が形成されることを特徴とする。これにより、本発明の遮蔽装置によれば、回動遮蔽壁が開放状態の時には、回動遮蔽壁が倒れることができる空間を、送風機と前記回動遮蔽壁との間に確保することができる。一方、回動遮蔽壁が開放状態の際には、回動遮蔽壁と送風機との間に、冷気が流通できる空間を充分に確保できる。
【０３０１】
本発明の冷蔵庫は、貯蔵室に前記風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する前記送風機と、前記風路を少なくとも部分的に塞ぐ前記遮蔽装置と、を具備することを特徴とする。これにより、本発明の冷蔵庫によれば、遮蔽装置が占有する庫内容積を低減することができるので、各貯蔵室の有効容積を大きく確保することができる。また、遮蔽装置の風路抵抗が小さいので、少ないエネルギで大きな送風量を得ることができ、貯蔵室を効果的に冷却することができる。
【０３０２】
［第５実施形態］
図４５から図５０参照して、第５実施形態に係る遮蔽装置５７０を説明する。第５実施形態に係る遮蔽装置５７０の基本構成および冷蔵庫１０への適用構成は第１実施形態と同様であるので、相違点を中心に説明する。本実施形態では、後述するように、回転プレート５７３のスライド溝５８０に、複数のカム５６１の移動軸５７６が係合している。
【０３０３】
図４５を参照して、遮蔽装置５７０の構成を説明する。図４５（Ａ）は遮蔽装置５７０の分解斜視図であり、図４５（Ｂ）はカム５６１を示す斜視図である。
【０３０４】
図４５（Ａ）を参照して、遮蔽装置５７０は、支持基体５６３と、回転プレート５７３と、蓋部材５７と、遮蔽壁駆動機構５６０と、を具備している。
【０３０５】
遮蔽装置５７０は送風機４７で送風された冷気の風路を遮蔽する装置である。遮蔽装置５７０を開状態とすることで冷却室２６と各貯蔵室とをつなぐ風路を連通させ、遮蔽装置５７０を閉状態とすることで風路を遮断する。
【０３０６】
送風機４７は、ビスなどの締結手段を介して、支持基体５６３の後面中心部に配設されている。送風機４７は、例えば、ターボファンなどの遠心ファンと、この遠心ファンを回転させる送風モータとを具備しており、半径方向外側に向かって冷気を送風する。
【０３０７】
回動遮蔽壁５７１は、矩形状の合成樹脂からなる板状部材であり、回転プレート５７３の外縁の接線方向に沿う長辺を有している。回動遮蔽壁５７１は、支持基体５６３の周縁部付近に、後方に向かって回動可能に取り付けられている。回動遮蔽壁５７１は、複数（本実施形態では４個）が配設されている。回動遮蔽壁５７１は、送風機４７で送風される冷気が流通する経路に配置され、風路を適宜遮蔽する。
【０３０８】
回動遮蔽壁５７１の回動中心である基端部には、起立状態において回動遮蔽壁５７１を外囲する枠状部５８３が隣接されている。枠状部５８３は枠状に成形された合成樹脂から成り、送風機４７を取り囲むように、支持基体５６３の後面に配置されている。枠状部５８３は各回動遮蔽壁５７１に対応して配置され、回動遮蔽壁５７１が枠状部５８３の開口を塞ぐことで、風路が閉鎖される。
【０３０９】
回転プレート５７３は、後方から見て略円盤形状の形状を呈し、支持基体５６３の前面側に回転自在に配設されている。回転プレート５７３には、回動遮蔽壁５７１を回動させるためのスライド溝５８０が形成されている。スライド溝５８０は、回転プレート５７３の後面に、リブで囲まれる有底溝として形成されている。回転プレート５７３の周縁部にはトルクを伝達するためのギア溝５４９が形成されている。後述するように、駆動モータを駆動し、回転プレート５７３を回転させることで、回動遮蔽壁５７１が開閉動作する。
【０３１０】
蓋部材５７は、回転プレート５７３を前方から覆う板状の部材であり、回転プレート５７３よりも若干大きく形成され、前方から見て略円形を呈している。
【０３１１】
上記した回動遮蔽壁５７１の開閉動作を行う遮蔽壁駆動機構５６０は、回転プレート５７３と、カム５６１と、回転プレート５７３を回転させる駆動モータ５７４（図４８（Ａ）参照）を有している。
【０３１２】
図４５（Ｂ）を参照して、カム５６１は、合成樹脂から成る扁平な直方体形状の部材である。カム５６１の左方端を後方に向かって突出させることで、回動連結部５４８が形成されている。回動連結部５４８には、後述するピン５６９が挿通可能な孔部が形成されている。また、カム５６１の右端側の前面から略円柱状に突出する移動軸５７６が形成されている。移動軸５７６は、上記した回転プレート５７３のスライド溝５８０に係合し、使用状況下に於いてスライド溝５８０と摺動する。この摺動を可能にするため、移動軸５７６の直径は、スライド溝５８０の半径方向の幅と同程度か若干短く設定されている。
【０３１３】
図４６を参照して、回動遮蔽壁５７１、支持基体５６３およびカム５６１の関連構成を説明する。図４６（Ａ）は、回動遮蔽壁５７１、支持基体５６３およびカム５６１を左側後方から見た分解斜視図であり、図４６（Ｂ）は、回動連結部５６８およびカム５６１を左側前方から見た分解斜視図である。
【０３１４】
図４６（Ａ）を参照して、回動遮蔽壁５７１は、回動遮蔽壁５７１の基端部から傾斜して突出する回動連結部５６８が形成されている。回動連結部５６８には、ピン５６９を挿通することが可能な孔部が形成されている。また、回動遮蔽壁５７１の上下両側面の前端部には、略円柱状に突出する回動連結部５６４が形成されている。回動連結部５６４は、枠状部５８３の内壁に形成された筒状の凹状部５８５に挿入される。係る構成により、回動遮蔽壁５７１は、回動可能な状態で支持基体５６３に備えられる。
【０３１５】
支持基体５６３を矩形状に貫通することで貫通孔５８６が形成されている。貫通孔５８６には、後方から回動遮蔽壁５７１の回動連結部５６８が挿入される。カム５６１の回動連結部５４８も、前方から貫通孔５８６に挿入される。回動遮蔽壁５７１の回動連結部５６８の孔部、および、カム５６１の回動連結部５４８の孔部には、ピン５６９が挿入される。係る構成により、支持基体５６３を挟んで、回動遮蔽壁５７１とカム５６１とは回動可能に接続される。
【０３１６】
図４６（Ｂ）を参照して、支持基体５６３の前面には、カム収納部５６２が形成されている。カム収納部５６２はリブで囲まれた矩形状の領域であり、カム収納部５６２の内部に上記した貫通孔５８６が形成されている。カム５６１は、カム収納部５６２の内部に収納されてスライドする。カム収納部５６２の内部でカム５６１がスライドする方向は、ここでは左右方向であり、換言すると図４５（Ａ）に示した回転プレート５７３の半径方向である。
【０３１７】
上記のように構成することで、駆動モータ５７４を駆動して回転プレート５７３を回転させることにより、移動軸５７６がスライド溝５８０内を摺動する。これによってカム５６１はカム収納部５６２内をスライドする。カム５６１をスライドさせることで、回動遮蔽壁５７１をピン５６９周りに回動させることが出来る。具体的には、カム５６１を回転プレート５７３の周縁部側にスライドさせると、回動遮蔽壁５７１は回動連結部５６４を回動中心として、起立状態となるように回動し、回動遮蔽壁５７１は支持基体５６３の主面に対して直交した状態となる。一方、カム５６１を回転プレート５７３の中心側にスライドさせると、回動遮蔽壁５７１は回動連結部５６４を回動中心として、横臥状態となるように回動し、回動遮蔽壁５７１は支持基体５６３の主面に対して略平行な状態となる。
【０３１８】
したがって、スライド溝５８０を回転プレート５７３の周縁部側に形成すれば、回動遮蔽壁５７１を閉状態とすることができる。反対にスライド溝５８０を回転プレート５７３の中心側に形成すれば、回動遮蔽壁５７１を開状態とすることができる。この原理を利用して、スライド溝５８０の形状を選択すれば、回動遮蔽壁５７１の開閉状態を任意に設定することができる。これによって、複雑な構成を採用せずに、回動遮蔽壁５７１を全開状態としたり、全閉状態としたりできる。
【０３１９】
図４７（Ａ）は遮蔽装置５７０の回動遮蔽壁５７１１等を後方から見て示す図である。遮蔽装置５７０は、上記した回動遮蔽壁５７１として、回動遮蔽壁５７１１ないし回動遮蔽壁５７１４を有している。回動遮蔽壁５７１１ないし回動遮蔽壁５７１４は、上記した回転プレート５７３の接線方向に対して略平行な長辺を有する長方形形状を呈している。また、回動遮蔽壁５７１１ないし回動遮蔽壁５７１４は、図４５（Ａ）に示した支持基体５６３の周縁部に回動可能に取り付けられている。
【０３２０】
回動遮蔽壁５７１１の基端部は、移動軸５７６１が形成されたカム５６１１に回動可能に接続されている。同様に、回動遮蔽壁５７１２の半径方向内側端部は、移動軸５７６２が形成されたカム５６１２に回動可能に接続されている。回動遮蔽壁５７１３の半径方向内側端部は、移動軸５７６３が形成されたカム５６１３に回動可能に連結されている。また、回動遮蔽壁５７１４の半径方向内側端部は、移動軸５７６４が形成されたカム５６１４に回動可能に連結されている。
【０３２１】
ここで、カム５６１１がスライドする方向は、回動遮蔽壁５７１１の長手方向に対して直交している。このようにすることで、回動遮蔽壁５７１１を開閉する際に、カム５６１１がスライドするべき距離を短く出来る。このような構成は、他の回動遮蔽壁５７１２等に関しても同様である。
【０３２２】
図４７（Ｂ）を参照して、回転プレート５７３は、略円板状に成型された鋼板または合成樹脂板であり、上記した回動遮蔽壁５７１１等の開閉動作を司るためのスライド溝５８０が形成されている。
【０３２３】
回転プレート５７３の周縁部の大部分にはギア溝５４９が形成されており、図４８（Ａ）を参照して後述するギア３０とギア溝５４９とが歯合することで、図４８（Ａ）に示す駆動モータ５７４のトルクで回転プレート５７３が回転する。また、ギア溝５４９は回転プレート５７３の全周に渡って形成されても良いが、ここでは、回転プレート５７３の外周の一部にはギア溝５４９は形成されていない。すなわちギア溝５４９は両端部を有している。ギア溝５４９が端部を有することで、後述するギア３０がギア溝５４９の端部まで回転することで、回転プレート５７３の回転方向に於ける位置検出を容易に行うことができる。
【０３２４】
スライド溝５８０は、回転プレート５７３の外周縁部近傍に略円環状に形成されている。更に、後方から回転プレート５７３を見た場合のスライド溝５８０の形状は、真円形状ではなく、回転プレート５７３の円周方向に沿って蛇行する蛇行形状を呈している。具体的には、スライド溝５８０は、時計回りに沿って、スライド溝５８０１，５８０２，５８０３，５８０４，５８０５，５８０６，５８０７，５８０８，５８０１０，５８０１１，５８０１２から構成される。スライド溝５８０１は、時計回りに沿って半径方向外側に向かって湾曲している。スライド溝５８０２は、円周方向に対して略平行に延在している。スライド溝５８０３は、時計回りに沿って半径方向内側に向かって湾曲している。スライド溝５８０４は、時計回りに沿って半径方向外側に向かって湾曲している。スライド溝５８０５は、時計回りに沿って半径方向内側に向かって湾曲している。スライド溝５８０６は、時計回りに沿って半径方向外側に向かって湾曲している。スライド溝５８０７は、時計回りに沿って半径方向内側に向かって湾曲している。スライド溝５８０８は、時計回りに沿って半径方向外側に向かって湾曲している。スライド溝５８０９は、時計回りに沿って半径方向内側に向かって湾曲している。スライド溝５８０１０は、時計回りに沿って半径方向外側に向かって湾曲している。スライド溝５８０１１は、円周方向に対して略平行に延在している。スライド溝５８０１２は、時計回りに沿って半径方向内側に向かって湾曲している。
【０３２５】
スライド溝５８０では、溝の湾曲形状が変化する変化点が設定されている。具体的には、スライド溝５８０１とスライド溝５８０２との間に変化点５８１２が設定され、スライド溝５８０２とスライド溝５８０３との間に変化点５８１３が設定される。また、スライド溝５８０３とスライド溝５８０４との間に変化点５８１４が設定され、スライド溝５８０４とスライド溝５８０５との間に変化点５８１５が設定される。また、スライド溝５８０５とスライド溝５８０６との間に変化点５８１６が設定され、スライド溝５８０６とスライド溝５８０７との間に変化点５８１７が設定される。また、スライド溝５８０７とスライド溝５８０８との間に変化点５８１８が設定され、スライド溝５８０８とスライド溝５８０９との間に変化点５８１９が設定されている。また、スライド溝５８０９とスライド溝５８０１０との間に変化点５８１１０が設定され、スライド溝５８０１０とスライド溝５８０１１との間に変化点５８１１１が設定されている。また、スライド溝５８０１１とスライド溝５８０１２との間に変化点５８１１２が設定され、スライド溝５８０１２とスライド溝５８０１との間に変化点５８１１が設定されている。
【０３２６】
上記した、変化点５８１２、変化点５８１３、変化点５８１５、変化点５８１７、変化点５８１９、変化点５８１１１および変化点５８１２は、回転プレート５７３の半径方向外側に配置される。一方、変化点５８１１、変化点５８１４、変化点５８１６、変化点５８１８および変化点５８１１０は、回転プレート５７３の半径方向内側に配置される。
【０３２７】
図４８に全閉状態における遮蔽装置５７０の構成を示す。図４８（Ａ）は全閉状態の遮蔽装置５７０を後方から見た図であり、図４８（Ｂ）は全閉状態における回転プレート５７３等を後方から見た図であり、図４８（Ｃ）は全閉状態における遮蔽装置５７０の切断斜視図である。
【０３２８】
図４８（Ａ）を参照して、遮蔽装置５７０は、全閉状態では送風機４７から外部への空気の流出を防止する。即ち、全閉状態では、全ての遮蔽装置５７０である回動遮蔽壁５７１１ないし回動遮蔽壁５７１４が起立状態である。よって、冷気を供給する風路との連通は遮断され、上記した冷凍室１７には冷気が供給されない。また、図１に示した冷却器４５を除霜する除霜行程でも、遮蔽装置５７０が全閉状態となることで、暖気が冷却室２６から冷蔵室１５および冷凍室１７に流入しない。
【０３２９】
図４８（Ｂ）を参照して、遮蔽装置５７０を全閉状態とする際には、先ず、図４８（Ａ）に示す駆動モータ５７４を駆動することでギア３０を介して回転プレート５７３を回転させる。ここでは、回転プレート５７３を回転させることで、移動軸５７６１等をスライド溝５８０内で摺動させ、半径方向外側に移動する。具体的には、移動軸５７６１はスライド溝５８０の変化点５８１３に配置され、移動軸５７６２はスライド溝５８０の変化点５８１５に配置される。また、移動軸５７６３はスライド溝５８０の変化点５８１７に配置され、移動軸５７６４はスライド溝５８０の変化点５８１９に配置される。
【０３３０】
図４８（Ｃ）を参照して、この結果、カム５６１１は、半径方向外側に向かって移動する。そして、カム５６１１と回転可能に連結されている回動遮蔽壁５７１１は、回動連結部５６８近傍を回動中心として回動し、支持基体５６３の主面に対して略直角に起立する閉状態となる。この結果、枠状部５８３の開口は回動遮蔽壁５７１１で塞がれ、風路が遮蔽される。係る構成は、他の回動遮蔽壁５７１２等でも同様である。
【０３３１】
図４９に全開状態における遮蔽装置５７０の構成を示す。図４９（Ａ）は全開状態の遮蔽装置５７０を後方から見た図であり、図４９（Ｂ）は全開状態における回転プレート５７３等を後方から見た図であり、図４９（Ｃ）は全開状態における遮蔽装置５７０の切断斜視図である。
【０３３２】
図４９（Ａ）を参照して、遮蔽装置５７０は、全開状態では送風機４７から外部への空気の流れを妨げない。全開状態では、全ての回動遮蔽壁５７１１等は周囲に向かって開いた状態となっている。即ち、全開状態では、遮蔽装置５７０が送風機４７から送風される冷気は、回動遮蔽壁５７１に干渉されることなく、冷蔵室１５および冷凍室１７に送風される。
【０３３３】
図４９（Ｂ）を参照して、遮蔽装置５７０を全開状態とする際には、先ず、図４８（Ａ）に示す駆動モータ５７４を駆動することでギア３０を介して回転プレート５７３を回転させる。ここでは、回転プレート５７３を回転させることで、移動軸５７６１等をスライド溝５８０内で摺動させ、半径方向内側に移動する。具体的には、移動軸５７６１はスライド溝５８０の変化点５８１４に配置され、移動軸５７６２はスライド溝５８０の変化点５８１６に配置される。また、移動軸５７６３はスライド溝５８０の変化点５８１８に配置され、移動軸５７６４はスライド溝５８０の変化点５８１１０に配置される。
【０３３４】
図４９（Ｃ）を参照して、この結果、カム５６１１は、半径方向内側に向かって移動する。そして、カム５６１１と回転可能に連結されている回動遮蔽壁５７１１は、回動連結部５６８近傍を回動中心として回動し、支持基体５６３の主面に対して略平行に倒れた開状態となる。この結果、枠状部５８３の開口は回動遮蔽壁５７１１で塞がれず、風路の流路抵抗を小さくし、送風機４７の送風量を増大することができる。係る構成は、他の回動遮蔽壁５７１２等でも同様である。
【０３３５】
本実施形態では、図４５を参照して、回転プレート５７３の回転により、回動遮蔽壁５７１の開閉動作を行っているので、上記した背景技術と比較して、遮蔽装置５７０の薄型化を実現することができる。よって、図２を参照して、遮蔽装置５７０の前方に形成される冷凍室１７の容積を増大させることができる。
【０３３６】
更に、本実施形態によれば、図４７（Ｂ）に示したように、遮蔽装置５７０にスライド溝５８０を略円環状に形成し、スライド溝５８０に複数の移動軸５７６２ないし移動軸５７６４を係合させている。そして、回転プレート５７３を回転させることで、移動軸５７６２ないし移動軸５７６４がスライド溝５８０を摺動し、回転プレート５７３の半径方向に沿ってスライドする。移動軸５７６２ないし移動軸５７６４がスライドすると、カム５６１１ないしカム５６１４もスライドし、この結果、回動遮蔽壁５７１１ないし回動遮蔽壁５７１４が開閉される。
【０３３７】
よって、１つのスライド溝５８０に複数の移動軸５７６１ないし移動軸５７６４が係合して摺動することから、移動軸５７６１ないし移動軸５７６４がスライド可能なスライド溝５８０の距離を長くすることができる。従って、円周方向に沿ってスライド溝５８０を滑らかに曲折形成でき、移動軸５７６１ないし移動軸５７６４がスライド溝５８０を摺動する際に発生する圧力が小さくなり、回動遮蔽壁５７１１の開閉動作をスムーズに行うことができる。
【０３３８】
更に、複数のカム５６１１等で、スライド溝５８０の摺動する範囲が重なり合っている。具体的には、図５０を参照して、カム５６１１（第１カム）の移動軸５７６１がスライド溝５８０を摺動する範囲である第１摺動範囲と、カム５６１２（第２カム）の移動軸５７６２がスライド溝５８０を摺動する範囲である第２摺動範囲と、が円周方向に於いて重なり合っている。よって、スライド溝５８０の略全体が、第１摺動範囲であり且つ第２摺動範囲である。よって、スライド溝５８０の略全体を、複数のカム５６１１等で共用でき、遮蔽装置５７０の構成を簡素化できる。
【０３３９】
上記した第５形態から、以下の発明を把握することができる。
【０３４０】
本発明は、冷蔵庫の内部で冷気が送風される風路を塞ぐ遮蔽装置であって、送風機を半径方向外側から囲む複数の回動遮蔽壁と、前記回動遮蔽壁を駆動する遮蔽壁駆動機構と、を具備し、前記遮蔽壁駆動機構は、円周方向に沿ってスライド溝が形成された回転プレートと、前記スライド溝に係合する移動軸が形成されて前記回動遮蔽壁にそれぞれ回転可能に連結される複数のカムと、前記回転プレートを回転するモータと、を有し、一つの前記スライド溝に、複数の前記カムの前記移動軸が係合することを特徴とする。これにより、本発明の遮蔽装置によれば、回転プレートの回転でスライドするカムにより回動遮蔽壁が開閉するので、遮蔽装置が薄型となり、貯蔵室の庫内容積を大きく確保することができる。また、一つのスライド溝に、複数のカムの移動軸が係合することで、スライド溝の蛇行形状を滑らかにすることができる。よって、スライド溝と移動軸との摺動動作および回動遮蔽壁の回動動作をスムーズに行うことができる。更に、スライド溝の数を少なくでき、遮蔽装置の構成を簡略化できる。
【０３４１】
また、本発明の遮蔽装置では、前記カムは、第１カムと、第２カムと、を有し、前記第１カムが前記スライド溝を摺動する第１摺動範囲と、前記第２カムが前記スライド溝を摺動する第２摺動範囲と、が重なり合っていることを特徴とする。これにより、本発明の遮蔽装置によれば、第１摺動範囲と第２摺動範囲とが重なり合っていることで、各カムの移動軸の摺動範囲を大きく確保でき、スライド溝と移動軸との摺動動作および回動遮蔽壁の回動動作を更にスムーズに行うことができる。
【０３４２】
また、本発明の遮蔽装置では、前記スライド溝は、環状に形成されていることを特徴とする。これにより、本発明の遮蔽装置によれば、スライド溝が環状に形成されていることで、遮蔽壁駆動機構の構成を簡素化することができる。
【０３４３】
また、本発明の遮蔽装置では、前記スライド溝は、不完全環状に形成されていることを特徴とする。これにより、本発明の遮蔽装置によれば、スライド溝の端部までカムの係合部を摺動させることで、容易に回転プレートの初期位置を検出することができる。
【０３４４】
また、本発明の遮蔽装置では、前記スライド溝は、第１スライド溝と、半径方向に於いて前記第１スライド溝の内側に形成された第２スライド溝と、を有することを特徴とする。これにより、本発明の遮蔽装置によれば、第１スライド溝に係合部が係合するカムで回動する回動遮蔽壁と、第２スライド溝に係合部が係合するカムで回動する他の回動遮蔽壁とで、制御系統を異ならせ、回動遮蔽壁の制御方法を多様化することが出来る。
【０３４５】
また、本発明の遮蔽装置では、前記モータは、前記回転プレートの周囲に形成されたギア溝に歯合するギアを介して、前記回転プレートを回転させ、前記回転プレートの周囲の一部分には前記ギア溝が形成されないことを特徴とする。これにより、本発明の遮蔽装置によれば、ギア溝の端部まで回転プレートを回転させることで、回転プレートの回転方向に於ける位置検出を容易に行うことができる。
【０３４６】
また、本発明の冷蔵庫は、貯蔵室に前記風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する前記送風機と、前記風路を少なくとも部分的に塞ぐ、前記遮蔽装置と、を具備することを特徴とする。これにより、本発明の冷蔵庫によれば、送風機を半径方向外側から囲む複数の回動遮蔽壁を有する薄型の蔽壁送風機を備えることで、遮蔽装置が占有する容積を低減し、貯蔵室の庫内容積を増大することができる。更に、回動遮蔽壁がスムーズに開閉動作することで、各貯蔵室の送風切替作業もスムーズに行うことができる。
【０３４７】
本発明は、上記実施形態に限定されるものではなく、その他、本発明の要旨を逸脱しない範囲で、種々の変更実施が可能である。
【符号の説明】
【０３４８】
１０  冷蔵庫
１１  断熱箱体
１２  外箱
１３  内箱
１４  断熱材
１５  冷蔵室  
１７  冷凍室
１８  上段冷凍室
１９  下段冷凍室
２０  野菜室
２１  断熱扉
２２  ダンパ
２３  断熱扉
２４  断熱扉
２５  断熱扉
２６  冷却室
２７  送風口
２８  戻り口
２９  冷蔵室供給風路
３０  ギア
３１  冷凍室供給風路
３２  リブ  
３３  吹出口
３４  吹出口
３７  野菜室帰還風路
３８  戻り口
３９  戻り口
４２  断熱仕切壁
４３  断熱仕切壁
４４  圧縮機
４５  冷却器
４６  除霜ヒータ
４７  送風機
４８  回動連結部
４９  ギア溝
５０  風路区画壁
５１  冷蔵室供給風路
５２  上段冷凍室供給風路
５３  下段冷凍室供給風路
５４  回動連結部
５５  ピン
５６  風路区画壁
５７  蓋部材
５８  側壁部
５９  開口部位
６０  遮蔽壁駆動機構
６１，６１１，６１２，６１３，６１４，６１５，６１６  カム
６２  カム収納部
６３  支持基体
６４  回動連結部
６５  仕切体
６６  仕切体
６７  前面カバー
６８  回動連結部
６９  ピン
７０  遮蔽装置
７１，７１１，７１２，７１３，７１４，７１５，７１６  回動遮蔽壁
７３  回転プレート
７４  駆動モータ
７５  回転軸
７６，７６１，７６２，７６３，７６４，７６５，７６６  移動軸
７７  ギア部
７９  回転軸スライド溝  
８０，８０１，８０２，８０３，８０４，８０５，８０６  移動軸スライド溝
８０１１，８０１２，８０１３溝部
８０２１，８０２２，８０２３，８０２４，８０２５，８０２６  溝部
８０３１，８０３２，８０３３，８０３４  溝部
８０４１，８０４２，８０４３，８０４４  溝部
８０５１，８０５２，８０５３，８０５４  溝部
８０６１，８０６２，８０６３，８０６４，８０６５，８０６６  溝部
２３５ 被覆板
２３６ 開口部
２５４ 駆動シャフト
２５８ 突出部
２５９ 開口部位
２６０ 遮蔽壁駆動機構
２６３ 支持基体
２６４ 回動連結部
２７０ 遮蔽装置
２７１、２７１１、２７１２、２７１３、２７１４   回動遮蔽壁
２７４ 駆動モータ
２８１１、２８１２、２８１３、２８１４、２８１５、２８１６、２８１７ギア
２８２ 開口部
２８３、２８４ワイヤ固定部
２８５ 溝
２８６ ワイヤ回転体
２８７ 送風機取付部
２８８ ワイヤカバー
２８９ 駆動モータ
２９０ 遮蔽装置
２９１ 回動遮蔽壁
２９２ ワイヤ
２９２１、２９２２   ワイヤ端部
２９３ 回動連結部
２９４ 送風機
２９５ ワイヤ挿通部
２９６ 支持基体
２９７ 蓋部
２９８ 回動連結部
２９９ 蓋部
３４８ 回動連結部
３５５ ピン
３５８ 側壁部
３６０、３６０１、３６０２  遮蔽壁駆動機構
３６１、３６１１、３６１２、３６１３、３６１４、３６１５カム
３６３ 支持基体
３６４、３６８回動連結部
３６９ ピン
３７０ 遮蔽装置
３７１、３７１１、３７１２、３７１３、３７１４、３７１５回動遮蔽壁
３７３、３７３１、３７３２、３７３３、３７３４、３７３５回転プレート
３７４、３７４１、３７４２、３７４３、３７４４、３７４５駆動モータ
３７６、３７６１、３７６２、３７６３、３７６４、３７６５移動軸
３８０、３８０１、３８０２、３８０３、３８０４、３８０５移動軸スライド溝
３８１ ソレノイド
３８２ 当接部
３８５１、３８５２   巻回部
３８６１、３８６２、３８６３、３８６４    ワイヤ
３８７ 可動部
４３０ ギア
４４１ 枠部
４４８、４５４回動連結部
４５５ ピン
４５８ 側壁部
４６０ 遮蔽壁駆動機構
４６１、４６１１、４６１２、４６１３、４６１４、４６１５カム
４６２ カム収納部
４６３ 支持基体
４６４、４６８回動連結部
４６９ ピン
４７０ 遮蔽装置
４７１、４７１１、４７１２、４７１３、４７１４、４７１５回動遮蔽壁
４７３ 回転プレート
４７４ 駆動モータ
４７５ 回転軸
４７６、４７６１、４７６２、４７６３、４７６４、４７６５移動軸
４７７ ギア部
４７９ 回転軸スライド溝
４８０、４８０１、４８０２、４８０４、４８０５   移動軸スライド溝
４８０１１、４８０１２、４８０１３、４８０２１、４８０２２、４８０２３、４８０２４、４８０２５、４８０２６、４８０２７、４８０２８、４８０２９、４８０４１、４８０４２、４８０４３、４８０４４、４８０５１、４８０５２、４８０５３、４８０５４、４８０５５、４８０５６    溝部
５４８ 回動連結部
５４９ ギア溝
５６０ 遮蔽壁駆動機構
５６１、５６１１、５６１２、５６１３、５６１４、５６１５、５６１６    カム
５６２ カム収納部
５６３ 支持基体
５６４、５６８回動連結部
５６９ ピン
５７０ 遮蔽装置
５７１、５７１１、５７１２、５７１３、５７１４、５７１５回動遮蔽壁
５７３ 回転プレート
５７４ 駆動モータ
５７６、５７６１、５７６２、５７６３、５７６４、５７６５移動軸
５８０、５８０１、５８０２、５８０３、５８０４、５８０５、５８０６、５８０７、５８０８、５８０９、５８０１０、５８０１１、５８０１２、５８０１３、５８０１４     スライド溝
５８１１、５８１２、５８１３、５８１４、５８１５、５８１６、５８１７、５８１８、５８１９、５８１１０、５８１１１、５８１１２  変化点
５８３ 枠状部
５８５ 凹状部
５８６ 貫通孔
１１００      冷蔵庫
１１０１      冷蔵室
１１０２      冷凍室
１１０３      野菜室
１１０４      冷却室
１１０５      区画壁
１１０６      開口部
１１０７      送風ファン
１１０８      冷却器
１１０９      風路
１１１０      送風機カバー
１１１１      凹部
１１１３      開口部
１１１４      ダンパ 
【図１】
2019244709.tif 000003
【図２】
2019244709.tif 000004
【図３】
2019244709.tif 000005
【図４】
2019244709.tif 000006
【図５】
2019244709.tif 000007
【図６】
2019244709.tif 000008
【図７】
2019244709.tif 000009
【図８】
2019244709.tif 000010
【図９】
2019244709.tif 000011
【図１０】
2019244709.tif 000012
【図１１】
2019244709.tif 000013
【図１２】
2019244709.tif 000014
【図１３】
2019244709.tif 000015
【図１４】
2019244709.tif 000016
【図１５】
2019244709.tif 000017
【図１６】
2019244709.tif 000018
【図１７】
2019244709.tif 000019
【図１８】
2019244709.tif 000020
【図１９】
2019244709.tif 000021
【図２０】
2019244709.tif 000022
【図２１】
2019244709.tif 000023
【図２２】
2019244709.tif 000024
【図２３】
2019244709.tif 000025
【図２４】
2019244709.tif 000026
【図２５】
2019244709.tif 000027
【図２６】
2019244709.tif 000028
【図２７】
2019244709.tif 000029
【図２８】
2019244709.tif 000030
【図２９】
2019244709.tif 000031
【図３０】
2019244709.tif 000032
【図３１】
2019244709.tif 000033
【図３２】
2019244709.tif 000034
【図３３】
2019244709.tif 000035
【図３４】
2019244709.tif 000036
【図３５】
2019244709.tif 000037
【図３６】
2019244709.tif 000038
【図３７】
2019244709.tif 000039
【図３８】
2019244709.tif 000040
【図３９】
2019244709.tif 000041
【図４０】
2019244709.tif 000042
【図４１】
2019244709.tif 000043
【図４２】
2019244709.tif 000044
【図４３】
2019244709.tif 000045
【図４４】
2019244709.tif 000046
【図４５】
2019244709.tif 000047
【図４６】
2019244709.tif 000048
【図４７】
2019244709.tif 000049
【図４８】
2019244709.tif 000050
【図４９】
2019244709.tif 000051
【図５０】
2019244709.tif 000052
【図５１】
2019244709.tif 000053
【図５２】
2019244709.tif 000054
【国際調査報告】
2019244709.tif 000055
2019244709.tif 000056
2019244709.tif 000057
2019244709.tif 000058
2019244709.tif 000059
2019244709.tif 000060
2019244709.tif 000061
2019244709.tif 000062